(57)【要約】【課題】パワーセーブが解除された後の消費電力が無用に大きくならないようにする。【解決手段】ユーザ識別情報及びユーザ管理情報を記録するための記憶装置と、パワーセーブが行われている場合に、パワーセーブ解除条件が成立するかどうかを判断するパワーセーブ解除条件成立判断処理手段と、ユーザ識別情報及びユーザ管理情報に基づいて、所定の機能を実行するに当たり使用されるデバイスに、パワーセーブを解除するためのパワーセーブ解除指示を送る省電力管理部４４とを有する。所定の機能を実行するに当たり使用されないデバイスは消費電力が小さくされたままにされるので、パワーセーブが解除された後のデバイスにおいて消費電力が無用に大きくなることがない。【選択図】図１
2013232087.tif 000002
【特許請求の範囲】
【請求項１】
複数の機能を利用することができる情報処理装置において、
（ａ）ユーザを識別するためのユーザ識別情報、及び情報処理装置における各機能ごとに設定されたユーザ管理情報を記録するための記憶装置と、
（ｂ）情報処理装置においてパワーセーブが行われている場合に、パワーセーブを解除するためのパワーセーブ解除条件が成立するかどうかを判断するパワーセーブ解除条件成立判断処理手段と、
（ｃ）前記ユーザ識別情報及びユーザ管理情報に基づいて、所定の機能を実行するに当たり使用されるデバイスに、パワーセーブを解除するためのパワーセーブ解除指示を送る省電力管理部とを有することを特徴とする情報処理装置。
【請求項２】
（ａ）前記ユーザ管理情報は、ユーザが情報処理装置における各機能を利用する権限を有するかどうかを表すユーザ権限情報であり、
（ｂ）前記省電力管理部は、ユーザ識別情報及びユーザ権限情報に基づいて、ユーザが利用する権限を有する機能を実行するに当たり使用されるデバイスに前記パワーセーブ解除指示を送る請求項１に記載の情報処理装置。
【請求項３】
（ａ）前記ユーザ管理情報は、情報処理装置における各機能ごとのユーザによる利用頻度であり、
（ｂ）前記省電力管理部は、前記利用頻度に基づいて、選択された機能を実行するに当たり使用されるデバイスにパワーセーブ解除指示を送る請求項１に記載の情報処理装置。
【請求項４】
（ａ）前記ユーザ識別情報に基づいてユーザの認証を行う認証処理手段を有するとともに、
（ｂ）前記省電力管理部は、ユーザが本人である場合に、前記デバイスにパワーセーブ解除指示を送る請求項１〜３のいずれか１項に記載の情報処理装置。
【請求項５】
前記ユーザ権限情報に基づいて、ユーザの機能を利用する権限を判断するユーザ権限判断処理手段を有する請求項２に記載の情報処理装置。
【請求項６】
前記ユーザ管理情報に基づいて、ユーザによる情報処理装置における各機能の利用頻度を判断する利用頻度判断処理手段を有する請求項３に記載の情報処理装置。
【請求項７】
（ａ）ジョブを行うジョブ実績が制限値に到達しているユーザが存在するかどうかを判断するジョブ実績判断処理手段と、
（ｂ）前記ジョブ実績が制限値に到達しているユーザが存在する場合に、該ユーザについて、ジョブを行うのに伴って所定の機能を利用する権限を無くすユーザ権限設定処理手段とを有する請求項２に記載の情報処理装置。
【請求項８】
（ａ）前記記憶装置に記録された課金記録情報を取得する課金記録情報取得処理手段を有するとともに、
（ｂ）前記ジョブ実績判断処理手段は、前記課金記録情報に基づいて、ジョブ実績が制限値に到達しているユーザが存在するかどうかを判断する請求項７に記載の情報処理装置。
【発明の詳細な説明】
【技術分野】
【０００１】
本発明は、情報処理装置に関するものである。
【背景技術】
【０００２】
従来、プリンタ、複写機、ファクシミリ、複合機等の各種の情報処理装置、例えば、複合機においては、コピー、印刷等の機能を有しているが、所定の複合機においては、各機能が実行されないときにパワーセーブが行われ、スキャナ部におけるスキャナのＣＣＦＬランプをスリープ状態にしたり、操作パネルにおける画面のＬＣＤを消灯したり、ＣＰＵをスリープ状態にしたり、プリンタ部の印刷機構における定着器のヒータ、温度センサ等をオフにしたりすることによって、消費電力が小さくされるようになっている（例えば、特許文献１参照。）。
【０００３】
そして、パワーセーブが行われている複合機において、操作者が操作パネルに配設された節電をするためのキー、すなわち、節電キーを押下したり、ホストコンピュータからジョブ（印刷ジョブ等）が送信されたりすることによって、パワーセーブが解除される。
【先行技術文献】
【特許文献】
【０００４】
【特許文献１】特開２００９−２５１７６５号公報
【発明の概要】
【発明が解決しようとする課題】
【０００５】
しかしながら、前記従来の複合機においては、パワーセーブが解除されると、スキャナ、操作パネル、印刷機構等のすべてのデバイスが、消費電力が小さくされない通常の状態に復帰させられるので、パワーセーブが解除された後に、所定の機能を実行するに当たり使用されないデバイスにおける消費電力が無用に大きくなってしまう。
【０００６】
本発明は、前記従来の複合機の問題点を解決して、パワーセーブが解除された後のデバイスにおいて消費電力が無用に大きくなることがない情報処理装置を提供することを目的とする。
【課題を解決するための手段】
【０００７】
そのために、本発明の情報処理装置においては、複数の機能を利用することができるようになっている。
【０００８】
そして、ユーザを識別するためのユーザ識別情報、及び情報処理装置における各機能ごとに設定されたユーザ管理情報を記録するための記憶装置と、情報処理装置においてパワーセーブが行われている場合に、パワーセーブを解除するためのパワーセーブ解除条件が成立するかどうかを判断するパワーセーブ解除条件成立判断処理手段と、前記ユーザ識別情報及びユーザ管理情報に基づいて、所定の機能を実行するに当たり使用されるデバイスに、パワーセーブを解除するためのパワーセーブ解除指示を送る省電力管理部とを有する。
【発明の効果】
【０００９】
本発明によれば、情報処理装置においては、複数の機能を利用することができるようになっている。
【００１０】
そして、ユーザを識別するためのユーザ識別情報、及び情報処理装置における各機能ごとに設定されたユーザ管理情報を記録するための記憶装置と、情報処理装置においてパワーセーブが行われている場合に、パワーセーブを解除するためのパワーセーブ解除条件が成立するかどうかを判断するパワーセーブ解除条件成立判断処理手段と、前記ユーザ識別情報及びユーザ管理情報に基づいて、所定の機能を実行するに当たり使用されるデバイスに、パワーセーブを解除するためのパワーセーブ解除指示を送る省電力管理部とを有する。
【００１１】
この場合、所定の機能を実行するに当たり使用されるデバイスだけが通常の状態に復帰させられて、情報処理装置のパワーセーブが解除されるので、所定の機能を実行するに当たり使用されないデバイスは、消費電力が小さくされたままにされる。したがって、情報処理装置のパワーセーブが解除された後のデバイスにおいて消費電力が無用に大きくなることがない。
【図面の簡単な説明】
【００１２】
【図１】本発明の第１の実施の形態におけるプリンタ部の制御ブロック図である。
【図２】本発明の第１の実施の形態における複合機の制御ブロック図である。
【図３】本発明の第１の実施の形態におけるスキャナ部の制御ブロック図である。
【図４】本発明の第１の実施の形態における操作パネルの概念図である。
【図５】本発明の第１の実施の形態におけるログイン画面の例を示す図である。
【図６】本発明の第１の実施の形態におけるログイン失敗画面の例を示す図である。
【図７】本発明の第１の実施の形態におけるオンラインモード画面の例を示す図である。
【図８】本発明の第１の実施の形態におけるログアウト画面の例を示す図である。
【図９】本発明の第１の実施の形態におけるコピー待機画面の例を示す図である。
【図１０】本発明の第１の実施の形態におけるコピー禁止画面の例を示す図である。
【図１１】本発明の第１の実施の形態におけるユーザ情報テーブルの例を示す図である。
【図１２】本発明の第１の実施の形態におけるユーザ権限テーブルの例を示す図である。
【図１３】本発明の第１の実施の形態における課金ログテーブルの例を示す図である。
【図１４】本発明の第１の実施の形態における印刷枚数テーブルの例を示す図である。
【図１５】本発明の第１の実施の形態における複合機の第１の動作を説明するフローチャートである。
【図１６】本発明の第１の実施の形態におけるパワーセーブ移行処理の第１の例のサブルーチンを示す図である。
【図１７】本発明の第１の実施の形態におけるパワーセーブ移行処理の第２の例のサブルーチンを示す図である。
【図１８】本発明の第１の実施の形態におけるパワーセーブ解除処理の第１の例のサブルーチンを示す図である。
【図１９】本発明の第１の実施の形態におけるパワーセーブ解除処理の第２の例のサブルーチンを示す図である。
【図２０】本発明の第１の実施の形態におけるパワーセーブ解除処理の第３の例のサブルーチンを示す図である。
【図２１】本発明の第１の実施の形態におけるパワーセーブ移行処理の第３の例のサブルーチンを示す第１の図である。
【図２２】本発明の第１の実施の形態におけるパワーセーブ移行処理の第３の例のサブルーチンを示す第２の図である。
【図２３】本発明の第１の実施の形態におけるパワーセーブ解除処理の第４の例のサブルーチンを示す第１の図である。
【図２４】本発明の第１の実施の形態におけるパワーセーブ解除処理の第４の例のサブルーチンを示す第２の図である。
【図２５】本発明の第１の実施の形態におけるパワーセーブ解除処理の第５の例のサブルーチンを示す図である。
【図２６】本発明の第１の実施の形態における複合機の第２の動作を説明するフローチャートである。
【図２７】本発明の第２の実施の形態におけるプリンタの制御ブロック図である。
【図２８】本発明の第２の実施の形態における機能の利用頻度テーブルの例を示す図である。
【図２９】本発明の第２の実施の形態におけるパワーセーブ解除処理の第１の例のサブルーチンを示す第１の図である。
【図３０】本発明の第２の実施の形態におけるパワーセーブ解除処理の第１の例のサブルーチンを示す第２の図である。
【図３１】本発明の第２の実施の形態におけるパワーセーブ解除処理の第２の例のサブルーチンを示す第１の図である。
【図３２】本発明の第２の実施の形態におけるパワーセーブ解除処理の第２の例のサブルーチンを示す第２の図である。
【図３３】本発明の第２の実施の形態における機能実行処理の第１の例のサブルーチンを示す図である。
【図３４】本発明の第２の実施の形態におけるパワーセーブ解除処理の第２の例のサブルーチンを示す第１の図である。
【図３５】本発明の第２の実施の形態におけるパワーセーブ解除処理の第２の例のサブルーチンを示す第２の図である。
【図３６】本発明の第２の実施の形態における機能実行処理の第２の例のサブルーチンを示す図である。
【図３７】本発明の第２の実施の形態におけるパワーセーブ解除処理の第３の例のサブルーチンを示す第１の図である。
【図３８】本発明の第２の実施の形態におけるパワーセーブ解除処理の第３の例のサブルーチンを示す第２の図である。
【図３９】本発明の第２の実施の形態における機能実行処理の第３の例のサブルーチンを示す図である。
【発明を実施するための形態】
【００１３】
以下、本発明の実施の形態について図面を参照しながら詳細に説明する。この場合、情報処理装置としての、かつ、画像形成装置としての複合機について説明する。
【００１４】
図１は本発明の第１の実施の形態におけるプリンタ部の制御ブロック図、図２は本発明の第１の実施の形態における複合機の制御ブロック図、図３は本発明の第１の実施の形態におけるスキャナ部の制御ブロック図である。
【００１５】
図において、１１は複合機であり、該複合機１１は、原稿読取部としてのスキャナ部１２、画像形成部としてのプリンタ部１３等を備え、上位装置としてのコンピュータ、すなわち、ホストコンピュータ１４、課金装置としての課金サーバ１５等と接続される。
【００１６】
前記複合機１１においては、ホストコンピュータ１４から送信された印刷データに基づいてプリンタ部１３において媒体としての用紙に画像を形成する印刷の機能、スキャナ部１２において原稿を読み取って画像データを生成し、該画像データをプリンタ部１３に送信し、該プリンタ部１３において用紙に画像を形成するコピー（複写）の機能、プリンタ部１３において用紙にカラー画像を形成するカラー印刷の機能、スキャナ部１２において原稿を読み取って画像データを生成し、該画像データをホストコンピュータ１４を介してＥメールで他のコンピュータに送信するスキャントゥＥメールの機能、スキャナ部１２において原稿を読み取って画像データを生成し、該画像データを電話回線を利用して他の複合機、ファクシミリ等に送信するファックスの機能、スキャナ部１２において原稿を読み取って画像データを生成し、該画像データをホストコンピュータ１４を介してサーバに送信するスキャントゥサーバの機能、及びスキャナ部１２において原稿を読み取って画像データを生成し、該画像データをホストコンピュータ１４の記憶装置としての図示されないメモリに記録するスキャントゥユーザの機能を実行することができるようになっている。
【００１７】
そして、前記ホストコンピュータ１４は、前記各機能を実行するための指示、ジョブ等を複合機１１に送信したり、複合機１１においてジョブを起動したり、画像データをＥメールで他のコンピュータに送信したり、画像データをファックスで他の複合機、ファクシミリ等に送信したり、画像データをサーバに送信したり、画像データをメモリに記録したりする。
【００１８】
そのために、前記ホストコンピュータ１４は、図示されない演算装置としてのＣＰＵ、前記メモリ、表示部としてのディスプレイ、操作部としてのキーボード等を備え、通信回線を介して他のコンピュータ、サーバ等に接続される。
【００１９】
また、前記課金サーバ１５は、複合機１１の各機能の利用に対して、例えば、印刷の機能の利用に対して、ジョブ実績としての、かつ、印刷実績としての印刷枚数に応じた課金を行うための課金処理手段を備える。
【００２０】
次に、前記スキャナ部１２について説明する。
【００２１】
図３において、２０はスキャナ、２１は該スキャナ２０の動作を制御するスキャナ制御処理手段としてのスキャナ制御部、２２は操作部としての、かつ、表示部としての操作パネル、２３は該操作パネル２２の動作を制御する操作パネル制御処理手段としての操作パネル制御部、２４はインタフェース部、２５はスキャナ省電力制御処理手段としてのスキャナ省電力制御部、２６は操作パネル省電力制御処理手段としての操作パネル省電力制御部である。前記スキャナ省電力制御部２５はスキャナ制御部２１の動作を制御し、操作パネル省電力制御部２６は操作パネル制御部２３の動作を制御する。なお、本実施の形態においては、操作パネル２２がスキャナ部１２に配設されるようになっているが、操作パネル２２をプリンタ部１３に配設することができる。
【００２２】
前記スキャナ２０は、原稿をセット（載置）するための図示されないフラットベッド、自動給紙装置等の原稿載置部、読取ヘッド等を備え、前記原稿載置部にセットされた原稿の画像を前記読取ヘッドによって読み取り、画像データを生成する。
【００２３】
また、前記操作パネル２２は、複合機１１の操作者であるユーザが、前記各機能のうちの所定の機能を選択したり、各機能について設定を行ったりするために配設される。
【００２４】
前記インタフェース部２４は、スキャナ部１２とプリンタ部１３との通信、例えば、コマンドの送受信を行ったり、プリンタ部１３に画像データを送信したりするために配設される。
【００２５】
前記スキャナ制御部２１は、前記スキャナ２０の消費電力を小さくしたり、スキャナ２０を通常の状態に復帰させたりすることによって、複合機１１のパワーセーブへの移行及びパワーセーブの解除を行い、前記操作パネル制御部２３は、前記操作パネル２２の消費電力を小さくしたり、操作パネル２２を通常の状態に復帰させたりすることによって、複合機１１のパワーセーブへの移行及びパワーセーブの解除を行う。
【００２６】
この場合、スキャナ２０及び操作パネル２２によって、複合機１１のパワーセーブへの移行及びパワーセーブの解除を行うための制御対象となるデバイスが構成され、スキャナ制御部２１及び操作パネル制御部２３によってデバイス制御部が、スキャナ省電力制御部２５及び操作パネル省電力制御部２６によって省電力制御部が構成される。
【００２７】
次に、前記プリンタ部１３について説明する。
【００２８】
図１において、２７はインタフェース部、２８はＲＡＭ、ＲＯＭ等から成る第１の記憶装置としてのメモリ、２９は用紙に画像を形成するための印刷機構であり、該印刷機構２９は、例えば、電子写真式の印刷機構である場合、像担持体としての感光体ドラム、該感光体ドラムに現像剤像としてのトナー像を形成する現像装置としての現像器、感光体ドラム上のトナー像を用紙に転写する転写ユニット、用紙上のトナー像を定着させる定着装置としての定着器等を備える。なお、本実施の形態においては、モノクロ印刷だけでなく、カラー印刷を行うことができるようになっていて、カラー印刷を行うために、印刷機構に前記感光体ドラム及び現像器が、ブラック、イエロー、マゼンタ及びシアンの各色ごとに配設される。
【００２９】
また、３１は複合機１１の動作を制御する演算装置としての、かつ、制御部としてのＣＰＵ、３２は該ＣＰＵ３１の動作を制御するＣＰＵ制御処理手段としてのＣＰＵ制御部、３３は前記印刷機構２９の動作を制御するプリンタ制御処理手段としてのプリンタ制御部、３４はハードディスク、フラッシュメモリ等から成る第２の記憶装置としての不揮発性メモリ、３５は複合機１１の利用に対する課金の機能を管理する課金管理処理手段としての課金管理部、３６は印刷、コピー、カラー印刷等の各機能を制御するプリント制御処理手段としてのプリント制御部、３７はコピー、スキャントゥＥメール、ファックス、スキャントゥサーバ、スキャントゥユーザの各機能を制御するスキャン制御処理手段としてのスキャン制御部、３８はファックスの機能を制御するファックス制御処理手段としてのファックス制御部、４３は機能実行処理手段としての、かつ、ジョブ管理処理手段としてのジョブ管理部、４４は省電力管理処理手段としての省電力管理部、４６はセキュリティ管理処理手段としてのセキュリティ管理部、４８はＣＰＵ省電力制御処理手段としてのＣＰＵ省電力制御部、４９はプリンタ省電力制御処理手段としてのプリンタ省電力制御部である。前記省電力管理部４４はＣＰＵ省電力制御部４８及びプリンタ省電力制御部４９の動作を制御し、ＣＰＵ省電力制御部４８はＣＰＵ制御部３２の動作を制御し、プリンタ省電力制御部４９はプリンタ制御部３３の動作を制御する。
【００３０】
なお、本実施の形態においては、前記ＣＰＵ３１、ジョブ管理部４３、省電力管理部４４等がプリンタ部１３に配設されるようになっているが、スキャナ部１２に配設することができる。
【００３１】
また、前記インタフェース部２７は、プリンタ部１３とスキャナ部１２との通信、例えば、コマンドの送受信を行ったり、スキャナ部１２から画像データを受信したり、ホストコンピュータ１４からジョブを受信したり、課金サーバ１５から課金記録情報送信指示としての課金ログ取得コマンドを受信したり、課金サーバ１５に課金記録情報としての課金ログを送信したりする。
【００３２】
前記ジョブ管理部４３は、ユーザが操作パネル２２（図３）を操作することによって前記各機能のうちの所定の機能が選択されたときに起動されるジョブ、及びホストコンピュータ１４から送信されるジョブを管理し、プリント制御部３６、スキャン制御部３７及びファックス制御部３８に各ジョブを送信する。
【００３３】
また、前記セキュリティ管理部４６は、各ジョブを処理するために使用される機能ごとに設定されたアクセス制御の機能を管理し、有効にしたり、無効にしたりする。本実施の形態においては、前記アクセス制御として、ユーザを識別するための情報、すなわち、ユーザ識別情報としてユーザ名及びパスワードを使用する認証であるパスワード認証が行われるが、ユーザ識別情報としてＰＩＮコードを使用する認証であるＰＩＮ認証等を行うことができる。
【００３４】
前記ＣＰＵ制御部３２は、前記ＣＰＵ３１の消費電力を小さくしたり、ＣＰＵ３１を通常の状態に復帰させたりすることによって、複合機１１のパワーセーブへの移行及びパワーセーブの解除を行い、前記プリンタ制御部３３は、前記印刷機構２９の消費電力を小さくしたり、印刷機構２９を通常の状態に復帰させたりすることによって、複合機１１のパワーセーブへの移行及びパワーセーブの解除を行う。
【００３５】
この場合、ＣＰＵ３１及び印刷機構２９によって、複合機１１のパワーセーブへの移行及びパワーセーブの解除を行うための制御対象となるデバイスが構成され、ＣＰＵ制御部３２及びプリンタ制御部３３によってデバイス制御部が、ＣＰＵ省電力制御部４８及びプリンタ省電力制御部４９によって省電力制御部が構成される。
【００３６】
なお、前記スキャナ制御部２１、前記操作パネル制御部２３、スキャナ省電力制御部２５、操作パネル省電力制御部２６、ＣＰＵ制御部３２、プリンタ制御部３３、省電力管理部４４、ＣＰＵ省電力制御部４８及びプリンタ省電力制御部４９によってパワーセーブ移行処理手段が構成され、スキャナ制御部２１、操作パネル制御部２３、スキャナ省電力制御部２５、操作パネル省電力制御部２６、ＣＰＵ制御部３２、プリンタ制御部３３、省電力管理部４４、セキュリティ管理部４６、ＣＰＵ省電力制御部４８及びプリンタ省電力制御部４９によってパワーセーブ解除処理手段が構成される。
【００３７】
次に、操作パネル２２について説明する。
【００３８】
図４は本発明の第１の実施の形態における操作パネルの概念図である。
【００３９】
前記操作パネル２２は、操作パネル２２を操作部として機能させるための操作部位５１、５２、及び操作パネル２２を表示部として機能させ、各種の画面を形成し、所定の画面に、選択された機能のメニュー、ユーザに対するメッセージ等を表示するための表示要素としての液晶タッチパネル５３を備える。なお、該液晶タッチパネル５３を操作部として機能させることができ、その場合、ユーザは、画面の所定の箇所に形成されたキーを押下（タッチ）することによって、各種の操作を行うことができる。
【００４０】
前記操作部位５１には、操作要素として、コピーの機能を選択するためのコピーキーｋ１、ファックスの機能を選択するためのファックスキーｋ２、スキャンの機能を選択するためのスキャンキーｋ３、印刷の機能を選択するための印刷キーｋ４等のキー（ボタン）が配設される。
【００４１】
そして、ＣＰＵ３１の図示されない表示処理手段は、表示処理を行い、コピーキーｋ１が押下されると、液晶タッチパネル５３にコピー待機画面を、ファックスキーｋ２が押下されると、液晶タッチパネル５３にファックス待機画面を、スキャンキーｋ３が押下されると、液晶タッチパネル５３にスキャン待機画面を、印刷キーｋ４が押下されると、液晶タッチパネル５３に印刷待機画面としてのオンラインモード画面をそれぞれ形成する。
【００４２】
また、前記操作部位５２には、操作要素として、各機能における設定を初期値に戻すためのリセットキーｋ６、ユーザに対して音声案内が行われるよう指示するための音声案内キーｋ７、数字、英字等の文字列を入力するためのテンキーｋ５、モノクロ（白黒）で原稿の画像を読み取るためのモノクロスタートキーｋ１１、カラーで原稿の画像を読み取るためのカラースタートキーｋ１２、ジョブをキャンセルするためのストップキーｋ１３、ファックスの送信を中止したり、確認したりするための中止／確認キーｋ１５、割込みを行うための割込みキー１６、複合機１１のパワーセーブへの移行及びパワーセーブの解除を行うための節電キーｋ１８等のキーを備える。
【００４３】
次に、前記液晶タッチパネル５３に形成される画面の例について説明する。
【００４４】
図５は本発明の第１の実施の形態におけるログイン画面の例を示す図、図６は本発明の第１の実施の形態におけるログイン失敗画面の例を示す図、図７は本発明の第１の実施の形態におけるオンラインモード画面の例を示す図、図８は本発明の第１の実施の形態におけるログアウト画面の例を示す図、図９は本発明の第１の実施の形態におけるコピー待機画面の例を示す図、図１０は本発明の第１の実施の形態におけるコピー禁止画面の例を示す図である。
【００４５】
図５において、ｄｓ１はログイン画面であり、前記表示処理手段は、複合機１１に対するアクセス制御の機能が有効である場合に、液晶タッチパネル５３にログイン画面ｄｓ１を形成する。ユーザが、操作部位５２（図４）を操作して、前記ログイン画面ｄｓ１で適正なユーザ名及びパスワードを入力し、ログイン画面ｄｓ１の右上の操作要素としてのログインキーｋ２１を押下すると、複合機１１をログインすることができる。ログインに成功すると、前記表示処理手段は、液晶タッチパネル５３に後述されるコピー待機画面ｄｓ５を形成する。
【００４６】
図６において、ｄｓ２はログイン失敗画面であり、誤ったユーザ名及び／又はパスワードが入力され、複合機１１へのログインに失敗した場合、前記表示処理手段は、液晶タッチパネル５３にログイン失敗画面ｄｓ２を形成し、該ログイン失敗画面ｄｓ２に、複合機１１のログインに失敗した旨のメッセージｍｓ１を表示する。
【００４７】
図７において、ｄｓ３はオンラインモード画面であり、ユーザが操作部位５１において印刷キーｋ４を押下すると、前記表示処理手段は、液晶タッチパネル５３にオンラインモード画面ｄｓ３を形成し、該オンラインモード画面ｄｓ３に、操作要素として、オフラインキーｋ２２、プリントジョブキーｋ２３、ジョブリストキーｋ２４及びログアウトキーｋ２５の各キーを表示する。
【００４８】
なお、ユーザが印刷キーｋ４を押下すると、ＣＰＵ３１の図示されない接続制御処理手段は、接続制御処理を行い、複合機１１とホストコンピュータ１４とを接続（オンラインに）し、ホストコンピュータ１４から送信される印刷ジョブに基づいて印刷の機能を実行することができるようにする。
【００４９】
そして、オンラインモード画面ｄｓ３において、ユーザがオフラインキーｋ２２を押下すると、前記接続制御処理手段は、複合機１１とホストコンピュータ１４との接続を遮断（オフラインに）し、ユーザがプリントジョブキーｋ２３を押下すると、前記表示処理手段は、ホストコンピュータ１４から送信された印刷ジョブのステータス情報を表示し、ユーザがジョブリストキーｋ２４を押下すると、前記表示処理手段は、ジョブの一覧を表示し、ユーザがログアウトキーｋ２５を押下すると、前記表示処理手段は、液晶タッチパネル５３に図８に示されるようなログアウト画面ｄｓ４を形成し、該ログアウト画面ｄｓ４に、ログアウトするかどうかをユーザに照会する旨のメッセージｍｓ２を表示するとともに、同意（はい）キーｋ３１、及び否同意（いいえ）キーｋ３２を表示する。ユーザが、同意キーｋ３１を押下すると、複合機１１がログアウトされ、否同意キーｋ３２を押下すると、複合機１１のログアウトがキャンセルされる。
【００５０】
また、図９において、ｄｓ５はコピー待機画面であり、アクセス制御の機能が無効である場合、前記表示処理手段は、電源が投入（オンに）されると、液晶タッチパネル５３にコピー待機画面ｄｓ５を形成する。なお、前述されたように、アクセス制御の機能が有効であり、複合機１１のログインに成功した場合も、前記表示処理手段は、液晶タッチパネル５３にコピー待機画面ｄｓ５を形成する。
【００５１】
そして、前記表示処理手段は、コピー待機画面ｄｓ５に、操作要素として、画像の画質及び種類（文字又はイメージの別）を設定するための画質・種類設定キーｋ４１、画像の濃度を設定するための濃度設定キーｋ４２、給紙方法を設定するための給紙設定キーｋ４３、画像の拡大又は縮小を設定する拡大／縮小キーｋ４４、ソートの要否を設定するためのソート設定キーｋ４５等の設定用のキーを表示する。
【００５２】
ユーザが、前記コピー待機画面ｄｓ５で画質・種類設定キーｋ４１、濃度設定キーｋ４２、給紙設定キーｋ４３、拡大／縮小キーｋ４４及びソート設定キーｋ４５のうちのいずれかを押下すると、前記表示処理手段は、液晶タッチパネル５３にそれぞれの設定画面を形成する。また、ユーザが操作パネル２２のテンキーｋ５を押下してコピー部数を設定すると、前記表示処理手段は、コピー待機画面ｄｓ５の右上の所定の領域ＡＲ１にコピー部数を表示する。
【００５３】
そして、ユーザが操作パネル２２のリセットキーｋ６を押下すると、コピー部数の設定、画像の画質及び種類の設定、画像の濃度の設定、給紙方法の設定、画像の拡大又は縮小の設定、及びソートの要否の設定が解除され、各設定内容が初期値に戻される。
【００５４】
図１０において、ｄｓ６はコピー禁止画面であり、複合機１１のログインに成功したときに、複合機１１においてユーザがコピーの機能を利用する権限（コピー権限）を有しない場合に、前記表示処理手段は、液晶タッチパネル５３に前記コピー禁止画面ｄｓ６を形成し、コピー禁止画面ｄｓ６に、ユーザがコピーの機能を利用する権限を有しない旨のメッセージｍｓ３を表示する。
【００５５】
次に、前記不揮発性メモリ３４に配設されたテーブルについて説明する。
【００５６】
図１１は本発明の第１の実施の形態におけるユーザ情報テーブルの例を示す図、図１２は本発明の第１の実施の形態におけるユーザ権限テーブルの例を示す図、図１３は本発明の第１の実施の形態における課金ログテーブルの例を示す図、図１４は本発明の第１の実施の形態における印刷枚数テーブルの例を示す図である。
【００５７】
図１１に示されるユーザ情報記録部としてのユーザ情報テーブルは、複合機１１をログインする際にユーザが入力するユーザ名及びパスワードを管理するためのテーブルである。
【００５８】
複合機１１の管理者が、操作パネル２２のテンキーｋ５を操作してユーザ名及びパスワードを入力すると、前記セキュリティ管理部４６（図１）は、セキュリティ管理処理を行い、例えば、ＵＳＥＲ１、ＵＳＥＲ２等のユーザごとのユーザ名、及び各ユーザ名に対応するパスワードをユーザ情報としてユーザ情報テーブルに記録（登録）する。
【００５９】
また、図１２に示される第１のユーザ管理情報記録部としての、かつ、ユーザ権限情報記録部としてのユーザ権限テーブルは、複合機１１の各機能ごとに設定され、ユーザが各機能を利用する権限を有するかどうかを表す第１のユーザ管理情報としてのユーザ権限情報を管理するテーブルである。
【００６０】
複合機１１の管理者が、操作パネル２２のテンキーｋ５を操作してユーザ名、及び各機能ごとの利用する権限の有無を入力すると、前記セキュリティ管理部４６は、各ユーザごとに、ユーザ名、及び各機能ごとの利用する権限の有無をユーザ情報としてユーザ情報テーブルに記録（登録）する。
【００６１】
本実施の形態においては、ユーザ権限テーブルに、複合機１１における印刷、コピー、カラー印刷、スキャントゥＥメール、ファックス、スキャントゥサーバ及びスキャントゥユーザメモリの各機能を利用する権限の有無がユーザごとに記録される。
【００６２】
そして、図１３に示される課金記録情報記録部としての課金ログテーブルは、前記課金サーバ１５の図示されない課金処理手段が課金処理を行うことによって生成された課金ログを管理するテーブルである。課金の機能が有効である場合に課金の機能が実行されると、前記課金ログが生成され、課金管理部３５は、課金管理処理を行い、課金ログを課金ログテーブルに記録する。
【００６３】
また、本実施の形態において、前記課金ログにおいては、ログ指標として、ログ開始時刻、ログＩＤ、ユーザＩＤ、ジョブ名、印刷枚数等が設定され、記録される。
【００６４】
なお、図１４に示される印刷実績記録部としての印刷枚数テーブルは、ユーザごとの印刷枚数を管理するテーブルであり、課金サーバ１５に配設される。前記印刷枚数テーブルには、各ユーザごとに、ユーザ名、印刷枚数の制限値及び印刷枚数（実績値）が記録される。
【００６５】
前記課金サーバ１５の図示されない課金ログ取得処理手段は、課金ログ取得処理を行い、定期的に複合機１１に前記課金ログ取得コマンドを送信し、前記課金ログテーブルから課金ログを取得する。そして、課金サーバ１５の図示されない印刷実績更新処理手段は、印刷実績更新処理を行い、取得した課金ログから印刷枚数を読み出し、前記印刷枚数テーブルの印刷枚数に加算し、印刷枚数テーブルを更新する。
【００６６】
なお、前記課金の機能が有効である場合、アクセス制御の機能も有効にされる。
【００６７】
ところで、本実施の形態においては、複合機１１において、該複合機１１の全体の消費電力を小さくするために、パワーセーブを行うことができるようになっていて、パワーセーブが行われると、スキャナ２０においてＣＣＦＬランプがスリープ状態にされたり、操作パネル２２において液晶タッチパネル５３のＬＣＤが消灯されたり、ＣＰＵ３１がスリープ状態にされたり、印刷機構２９において定着器のヒータ、温度センサ等がオフにされたりして、スキャナ２０、操作パネル２２、ＣＰＵ３１及び印刷機構２９の各デバイスの消費電力が小さくされる。
【００６８】
そして、パワーセーブが行われている複合機１１において、ユーザが操作パネル２２に配設された節電キーｋ１８を押下したり、ホストコンピュータ１４から印刷ジョブが送信されたりすると、複合機１１のパワーセーブが解除されるようになっている。この場合、スキャナ２０においてＣＣＦＬランプを定常状態にしたり、操作パネル２２において液晶タッチパネル５３のＬＣＤを点灯したり、ＣＰＵ３１を定常状態にしたり、印刷機構２９において定着器のヒータ、温度センサ等をオンにしたりして、スキャナ２０、操作パネル２２、ＣＰＵ３１及び印刷機構２９の各デバイスを通常の状態に復帰させて消費電力を通常の値にする。
【００６９】
ところが、複合機１１のパワーセーブが解除されて、スキャナ２０、操作パネル２２、ＣＰＵ３１及び印刷機構２９の各デバイスがいずれも通常の状態に復帰させられると、その後、所定の機能、例えば、印刷の機能を実行するに当たり使用されないデバイスにおける消費電力が無用に大きくなってしまう。
【００７０】
そこで、本実施の形態においては、複合機１１のパワーセーブが解除されるのに伴って、その後、所定の機能を実行するに当たり使用されるデバイスだけを、選択的に、通常の状態に復帰させるようにしている。
【００７１】
しかも、複合機１１の各機能のうちの、ユーザが利用する権限を有する機能を実行するに当たり使用されるデバイスだけが、通常の状態に復帰させられるようになっている。
【００７２】
次に、複合機１１をパワーセーブに移行させ、その後、パワーセーブを解除して各機能を実行するときの複合機１１の動作について説明する。
【００７３】
図１５は本発明の第１の実施の形態における複合機の第１の動作を説明するフローチャートである。
【００７４】
まず、前記パワーセーブ移行処理手段は、パワーセーブ移行処理を行い、所定のデバイス、本実施の形態においては、スキャナ２０、操作パネル２２、印刷機構２９及びＣＰＵ３１の消費電力を小さくすることによって、複合機１１をパワーセーブに移行させる。
【００７５】
節電キーｋ１８が押下されたり、ホストコンピュータ１４からジョブが送信されたりすると、前記パワーセーブ解除処理手段は、パワーセーブ解除処理を行い、消費電力が小さくされたスキャナ２０、操作パネル２２、ＣＰＵ３１及び印刷機構２９のうちの所定のデバイスを通常の状態に復帰させることによって、複合機１１のパワーセーブを解除する。
【００７６】
そして、ジョブ管理部４３の図示されない機能実行処理手段は、機能実行処理を行い、ユーザの指示に従って、通常の状態に復帰させられたデバイスを使用して所定の機能を実行する。
【００７７】
次に、図１５のフローチャートについて説明する。
ステップＳ１  パワーセーブ移行処理手段はパワーセーブ移行処理を行う。
ステップＳ２  パワーセーブ解除処理手段はパワーセーブ解除処理を行う。
ステップＳ３  機能実行処理手段は機能実行処理を行い、処理を終了する。
【００７８】
次に、所定の時間、ユーザによって操作パネル２２が操作されず、しかも、プリント制御部３６、スキャン制御部３７及びファックス制御部３８において処理されているジョブが存在しない場合に、複合機１１をパワーセーブに移行させるときのパワーセーブ移行処理について説明する。
【００７９】
図１６は本発明の第１の実施の形態におけるパワーセーブ移行処理の第１の例のサブルーチンを示す図である。
【００８０】
まず、省電力管理部４４の図示されないパワーセーブ移行条件成立判断処理手段は、パワーセーブ移行条件成立判断処理を行い、パワーセーブに移行するための条件、すなわち、パワーセーブ移行条件が成立するかどうかを判断する。
【００８１】
そのために、前記パワーセーブ移行条件成立判断処理手段は、プリンタ部１３のインタフェース部２７及びスキャナ部１２のインタフェース部２４を介して操作パネル制御部２３及びジョブ管理部４３の各ステータス情報を取得し、ユーザによって操作パネル２２が操作されていないかどうか、並びにプリント制御部３６、スキャン制御部３７及びファックス制御部３８において処理されているジョブが存在しないかどうかによって第１の条件が成立するかどうかを判断する。そして、前記パワーセーブ移行条件成立判断処理手段は、ユーザによって操作パネル２２が操作されておらず、しかも、プリント制御部３６、スキャン制御部３７及びファックス制御部３８において処理されているジョブが存在しない場合に、第１の条件が成立すると判断し、ユーザによって操作パネル２２が操作されているか、又はプリント制御部３６、スキャン制御部３７及びファックス制御部３８において処理されているジョブが存在する場合に、第１の条件が成立しないと判断する。
【００８２】
そして、第１の条件が成立する場合、前記パワーセーブ移行条件成立判断処理手段は、図示されないパワーセーブ移行タイマを起動し、その後、あらかじめ設定された複合機１１をパワーセーブに移行させるのに十分な時間、すなわち、パワーセーブ移行時間が経過したかどうかによって第２の条件が成立するかどうかを判断する。前記パワーセーブ移行時間が経過すると、前記パワーセーブ移行条件成立判断処理手段は、第２の条件が成立すると判断する。なお、第１の条件が成立しない場合、パワーセーブ移行処理手段は処理を終了する。
【００８３】
そして、第１、第２の条件が成立する場合、前記パワーセーブ移行条件成立判断処理手段はパワーセーブ移行条件が成立すると判断する。
【００８４】
このようにして、パワーセーブ移行条件が成立すると、前記省電力管理部４４の図示されない省電力管理部移行指示処理手段は、省電力管理部移行指示処理を行い、スキャナ省電力制御部２５、操作パネル省電力制御部２６、ＣＰＵ省電力制御部４８及びプリンタ省電力制御部４９に、複合機１１をパワーセーブに移行させるための指示、すなわち、パワーセーブ移行指示を送る。
【００８５】
続いて、スキャナ省電力制御部２５、操作パネル省電力制御部２６、ＣＰＵ省電力制御部４８及びプリンタ省電力制御部４９の各デバイス省電力制御部の図示されない省電力制御部移行指示処理手段は、それぞれ省電力制御部移行指示処理を行う。すなわち、スキャナ省電力制御部２５の省電力制御部移行指示処理手段は、スキャナ制御部２１にパワーセーブ移行指示を送り、操作パネル省電力制御部２６の省電力制御部移行指示処理手段は、操作パネル制御部２３にパワーセーブ移行指示を送り、ＣＰＵ省電力制御部４８の省電力制御部移行指示処理手段は、ＣＰＵ制御部３２にパワーセーブ移行指示を送り、プリンタ省電力制御部４９の省電力制御部移行指示処理手段は、プリンタ制御部３３にパワーセーブ移行指示を送る。
【００８６】
次に、スキャナ制御部２１、操作パネル制御部２３、ＣＰＵ制御部３２及びプリンタ制御部３３の各デバイス制御部の図示されない制御部移行指示処理手段は、それぞれ制御部移行指示処理を行う。すなわち、スキャナ制御部２１の制御部移行指示処理手段は、スキャナ２０にパワーセーブ移行指示を送り、操作パネル制御部２３の制御部移行指示処理手段は、操作パネル２２にパワーセーブ移行指示を送り、ＣＰＵ制御部３２の制御部移行指示処理手段は、ＣＰＵ３１にパワーセーブ移行指示を送り、プリンタ制御部３３の制御部移行指示処理手段は、印刷機構２９にパワーセーブ移行指示を送る。
【００８７】
そして、パワーセーブ移行指示を受けると、スキャナ２０、操作パネル２２、ＣＰＵ３１及び印刷機構２９は、消費電力を小さくすることによって、複合機１１をパワーセーブに移行させる。
【００８８】
次に、図１６のフローチャートについて説明する。
ステップＳ１−１  パワーセーブ移行条件成立判断処理手段はパワーセーブ移行タイマを起動する。
ステップＳ１−２  パワーセーブ移行条件成立判断処理手段はパワーセーブ移行時間が経過するのを待機する。パワーセーブ移行時間が経過した場合はステップＳ１−３に進む。
ステップＳ１−３  省電力管理部移行指示処理手段は省電力管理部移行指示処理を行う。
ステップＳ１−４  省電力制御部移行指示処理手段は省電力制御部移行指示処理を行う。
ステップＳ１−５  制御部移行指示処理手段は制御部移行指示処理を行う。
ステップＳ１−６  スキャナ２０、操作パネル２２、ＣＰＵ３１及び印刷機構２９は消費電力を小さくすることによって、複合機１１をパワーセーブに移行させ、リターンする。
【００８９】
次に、ユーザが節電キーｋ１８（図４）を押下して複合機１１をパワーセーブに移行させるときのパワーセーブ移行処理について説明する。
【００９０】
図１７は本発明の第１の実施の形態におけるパワーセーブ移行処理の第２の例のサブルーチンを示す図である。
【００９１】
まず、前記パワーセーブ移行条件成立判断処理手段は、パワーセーブ移行条件が成立するかどうかを判断する。
【００９２】
そのために、前記パワーセーブ移行条件成立判断処理手段は、節電キーｋ１８が押下されたかどうかによって第１の条件が成立するかどうかを判断する。
【００９３】
この場合、ユーザによって節電キーｋ１８が押下されると、操作パネル制御部２３は、スキャナ部１２のインタフェース部２４及びプリンタ部１３のインタフェース部２７を介して省電力管理部４４に節電キーｋ１８が押下されたことを通知する。したがって、パワーセーブ移行条件成立判断処理手段は、操作パネル制御部２３から節電キーｋ１８が押下されたことが通知された場合に、第１の条件が成立すると判断する。
【００９４】
第１の条件が成立する場合、前記パワーセーブ移行条件成立判断処理手段は、ジョブ管理部４３のステータス情報を取得し、プリント制御部３６、スキャン制御部３７及びファックス制御部３８において処理されているジョブが存在しないかどうかによって第２の条件が成立するかどうかを判断する。そして、前記パワーセーブ移行条件成立判断処理手段は、プリント制御部３６、スキャン制御部３７及びファックス制御部３８において処理されているジョブが存在しない場合に、第２の条件が成立すると判断し、プリント制御部３６、スキャン制御部３７及びファックス制御部３８において処理されているジョブが存在する場合に、第２の条件が成立しないと判断する。なお、第２の条件が成立しない場合、パワーセーブ移行処理手段は処理を終了する。
【００９５】
そして、第１、第２の条件が成立すると、前記パワーセーブ移行条件成立判断処理手段はパワーセーブ移行条件が成立すると判断する。
【００９６】
このようにして、パワーセーブ移行条件が成立すると、前記省電力管理部４４の前記省電力管理部移行指示処理手段は、スキャナ省電力制御部２５、操作パネル省電力制御部２６、ＣＰＵ省電力制御部４８及びプリンタ省電力制御部４９にパワーセーブ移行指示を送る。
【００９７】
続いて、スキャナ省電力制御部２５、操作パネル省電力制御部２６、ＣＰＵ省電力制御部４８及びプリンタ省電力制御部４９の前記省電力制御部移行指示処理手段は、それぞれスキャナ制御部２１、操作パネル制御部２３、ＣＰＵ制御部３２及びプリンタ制御部３３にパワーセーブ移行指示を送る。
【００９８】
次に、スキャナ制御部２１、操作パネル制御部２３、ＣＰＵ制御部３２及びプリンタ制御部３３の前記制御部移行指示処理手段は、それぞれスキャナ２０、操作パネル２２、ＣＰＵ３１及び印刷機構２９にパワーセーブ移行指示を送る。
【００９９】
そして、パワーセーブ移行指示を受けると、スキャナ２０、操作パネル２２、ＣＰＵ３１及び印刷機構２９は、消費電力を小さくすることによって、複合機１１をパワーセーブに移行させる。
【０１００】
次に、図１７のフローチャートについて説明する。
ステップＳ１−１１  パワーセーブ移行条件成立判断処理手段は節電キーｋ１８が押下されるのを待機する。節電キーｋ１８が押下された場合はステップＳ１−１２に進む。
ステップＳ１−１２  パワーセーブ移行条件成立判断処理手段は処理されているジョブが存在しないかどうかを判断する。処理されているジョブが存在しない場合はステップＳ１−１３に進み、処理されているジョブが存在する場合はリターンする。
ステップＳ１−１３  省電力管理部移行指示処理手段は省電力管理部移行指示処理を行う。
ステップＳ１−１４  省電力制御部移行指示処理手段は省電力制御部移行指示処理を行う。
ステップＳ１−１５  制御部移行指示処理手段は制御部移行指示処理を行う。
ステップＳ１−１６  スキャナ２０、操作パネル２２、ＣＰＵ３１及び印刷機構２９は、消費電力を小さくすることによって、複合機１１をパワーセーブに移行させ、リターンする。
【０１０１】
次に、パワーセーブが行われている複合機１１において、アクセス制御の機能又は課金の機能が有効である場合に、ホストコンピュータ１４から複合機１１に印刷ジョブが送信されて複合機１１のパワーセーブが解除されるときのパワーセーブ解除処理について説明する。
【０１０２】
図１８は本発明の第１の実施の形態におけるパワーセーブ解除処理の第１の例のサブルーチンを示す図である。
【０１０３】
まず、前記省電力管理部４４の図示されないパワーセーブ解除条件成立判断処理手段は、パワーセーブ解除条件成立判断処理を行い、複合機１１のパワーセーブを解除するための条件、すなわち、パワーセーブ解除条件が成立するかどうかを判断する。
【０１０４】
そのために、前記パワーセーブ解除条件成立判断処理手段は、ホストコンピュータ１４から複合機１１に印刷ジョブが送信されたかどうかによってパワーセーブ解除条件が成立するかどうかを判断する。
【０１０５】
そして、ホストコンピュータ１４から複合機１１に印刷ジョブが送信されると、ジョブ管理部４３は、ホストコンピュータ１４から印刷ジョブが送信されたことを省電力管理部４４に通知する。したがって、前記パワーセーブ解除条件成立判断処理手段は、ホストコンピュータ１４から印刷ジョブが送信されたことが通知された場合に、パワーセーブ解除条件が成立すると判断する。
【０１０６】
ところで、本実施の形態においては、ホストコンピュータ１４から送信される印刷ジョブにユーザ名及びパスワードが付与されるようになっている。そこで、ジョブ管理部４３は、印刷ジョブに付与されたユーザ名及びパスワードを読み込み、セキュリティ管理部４６に通知する。
【０１０７】
そして、セキュリティ管理部４６の図示されないユーザ情報取得処理手段は、ユーザ情報取得処理を行い、ジョブ管理部４３から通知されたユーザ名及びパスワードを取得し、前記セキュリティ管理部４６の図示されない認証処理手段は、認証処理を行い、不揮発性メモリ３４に配設されたユーザ情報テーブル（図１１）を参照し、取得したユーザ名及びパスワードと、前記ユーザ情報テーブルに記録されたユーザ名及びパスワードとが一致するかどうか（以下、「ユーザ名及びパスワードが一致するかどうか」という。）を判断することによって、ユーザが本人であるかどうかの判断、すなわち、ユーザの認証を行う。
【０１０８】
ユーザ名及びパスワードが一致しない場合、すなわち、ユーザが本人でない場合、ジョブ管理部４３は印刷ジョブをキャンセルする。
【０１０９】
また、ユーザ名及びパスワードが一致する場合、すなわち、ユーザが本人である場合、複合機１１がログインされ、前記セキュリティ管理部４６の図示されないユーザ権限判断処理手段は、ユーザ権限判断処理を行い、不揮発性メモリ３４に配設されたユーザ権限テーブル（図１２）を参照し、取得したユーザ名のユーザが印刷の機能を利用する権限（印刷権限）を有するかどうかを判断する。なお、ユーザは、印刷の機能を利用する権限を有する場合、スキャナ２０、操作パネル２２、ＣＰＵ３１及び印刷機構２９のうちの印刷の機能を行うためのデバイス、すなわち、操作パネル２２、印刷機構２９及びＣＰＵ３１を通常の状態に復帰させることによって、複合機１１のパワーセーブを解除する権限を有することになる。
【０１１０】
ユーザが印刷の機能を利用する権限を有しない場合、前記ジョブ管理部４３は印刷ジョブをキャンセルする。
【０１１１】
また、ユーザが印刷の機能を利用する権限を有する場合、セキュリティ管理部４６の図示されないセキュリティ管理部解除指示処理手段は、セキュリティ管理部解除指示処理を行い、省電力管理部４４に、複合機１１のパワーセーブを解除するための指示、すなわち、パワーセーブ解除指示を送る。
【０１１２】
そして、前記省電力管理部４４の図示されない省電力管理部解除指示処理手段は、省電力管理部解除指示処理を行い、操作パネル省電力制御部２６、ＣＰＵ省電力制御部４８及びプリンタ省電力制御部４９にパワーセーブ解除指示を送る。
【０１１３】
続いて、操作パネル省電力制御部２６、ＣＰＵ省電力制御部４８及びプリンタ省電力制御部４９の図示されない省電力制御部解除指示処理手段は、それぞれ省電力制御部解除指示処理を行う。すなわち、操作パネル省電力制御部２６の省電力制御部解除指示処理手段は、操作パネル制御部２３にパワーセーブ解除指示を送り、ＣＰＵ省電力制御部４８の省電力制御部解除指示処理手段は、ＣＰＵ制御部３２にパワーセーブ解除指示を送り、プリンタ省電力制御部４９の省電力制御部解除指示処理手段は、プリンタ制御部３３にパワーセーブ解除指示を送る。
【０１１４】
次に、操作パネル制御部２３、ＣＰＵ制御部３２及びプリンタ制御部３３の図示されない制御部解除指示処理手段は、それぞれ制御部解除指示処理を行う。すなわち、操作パネル制御部２３の制御部解除指示処理手段は、操作パネル２２にパワーセーブ解除指示を送り、ＣＰＵ制御部３２の制御部解除指示処理手段は、ＣＰＵ３１にパワーセーブ解除指示を送り、プリンタ制御部３３の制御部解除指示処理手段は、印刷機構２９にパワーセーブ解除指示を送る。
【０１１５】
そして、パワーセーブ解除指示を受けると、操作パネル２２、ＣＰＵ３１及び印刷機構２９は、通常の状態に復帰することによって複合機１１のパワーセーブを解除する。
【０１１６】
次に、図１８のフローチャートについて説明する。
ステップＳ２−１  パワーセーブ解除条件成立判断処理手段はホストコンピュータ１４から印刷ジョブが送信されるのを待機する。ホストコンピュータ１４から印刷ジョブが送信された場合はステップＳ２−２に進む。
ステップＳ２−２  ユーザ情報取得処理手段はユーザ名及びパスワードを取得する。
ステップＳ２−３  認証処理手段は認証処理を行う。
ステップＳ２−４  認証処理手段はユーザ名及びパスワードが一致するかどうかを判断する。ユーザ名及びパスワードが一致する場合はステップＳ２−６に、ユーザ名及びパスワードが一致しない場合はステップＳ２−５に進む。
ステップＳ２−５  ジョブ管理部４３は印刷ジョブをキャンセルし、リターンする。
ステップＳ２−６  ユーザ権限判断処理手段はユーザが印刷の機能を利用する権限（印刷権限）を有するかどうかを判断する。ユーザが印刷の機能を利用する権限を有する場合はステップＳ２−７に、ユーザが印刷の機能を利用する権限を有しない場合はステップＳ２−５に進む。
ステップＳ２−７  セキュリティ管理部解除指示処理手段はセキュリティ管理部解除指示処理を行う。
ステップＳ２−８  省電力管理部解除指示処理手段は省電力管理部解除指示処理を行う。
ステップＳ２−９  省電力制御部解除指示処理手段は省電力制御部解除指示処理を行う。
ステップＳ２−１０  制御部解除指示処理手段は制御部解除指示処理を行う。
ステップＳ２−１１  操作パネル２２、ＣＰＵ３１及び印刷機構２９は、通常の状態に復帰することによって複合機１１のパワーセーブを解除し、リターンする。
【０１１７】
次に、パワーセーブが行われている複合機１１において、ユーザが節電キーｋ１８を押下してパワーセーブを解除するときのパワーセーブ解除処理について説明する。
【０１１８】
図１９は本発明の第１の実施の形態におけるパワーセーブ解除処理の第２の例のサブルーチンを示す図である。
【０１１９】
まず、前記パワーセーブ解除条件成立判断処理手段は、パワーセーブ解除条件が成立するかどうかを判断する。
【０１２０】
そのために、前記パワーセーブ解除条件成立判断処理手段は、複合機１１においてパワーセーブが行われている場合に、ユーザによって節電キーｋ１８が押下されたかどうかによって、パワーセーブ解除条件が成立するかどうかを判断する。
【０１２１】
この場合、パワーセーブが行われている複合機１１において、ユーザによって節電キーｋ１８が押下されると、操作パネル制御部２３は、スキャナ部１２のインタフェース部２４及びプリンタ部１３のインタフェース部２７を介して省電力管理部４４に節電キーｋ１８が押下されたことを通知する。したがって、前記パワーセーブ解除条件成立判断処理手段は、操作パネル制御部２３から節電キーｋ１８が押下されたことが通知された場合に、パワーセーブ解除条件が成立すると判断する。
【０１２２】
そして、前記省電力管理部４４の前記省電力管理部解除指示処理手段は、プリンタ部１３のインタフェース部２７及びスキャナ部１２のインタフェース部２４を介して操作パネル省電力制御部２６にパワーセーブ解除指示を送り、前記操作パネル省電力制御部２６の前記省電力制御部解除指示処理手段は、操作パネル制御部２３にパワーセーブ解除指示を送る。続いて、前記操作パネル制御部２３の前記制御部解除指示処理手段は、操作パネル２２にパワーセーブ解除指示を送る。
【０１２３】
そして、操作パネル２２は、通常の状態に復帰することによって複合機１１のパワーセーブを解除する。
【０１２４】
次に、図１９のフローチャートについて説明する。
ステップＳ２−２１  パワーセーブ解除条件成立判断処理手段は、節電キーｋ１８が押下されるのを待機する。節電キーｋ１８が押下された場合はステップＳ２−２２に進む。
ステップＳ２−２２  操作パネル制御部２３は省電力管理部４４に節電キーｋ１８が押下されたことを通知する。
ステップＳ２−２３  省電力管理部解除指示処理手段は省電力管理部解除指示処理を行う。
ステップＳ２−２４  省電力制御部解除指示処理手段は省電力制御部解除指示処理を行う。
ステップＳ２−２５  制御部解除指示処理手段は制御部解除指示処理を行う。
ステップＳ２−２６  操作パネル２２は、通常の状態に復帰することによって複合機１１のパワーセーブを解除し、リターンする。
【０１２５】
次に、パワーセーブが行われている複合機１１において、複合機１１の各機能のうちの、ユーザが利用する権限を有する機能を実行するに当たり使用されるデバイスだけを通常の状態に復帰させることによってパワーセーブを解除するときのパワーセーブ解除処理について説明する。
【０１２６】
図２０は本発明の第１の実施の形態におけるパワーセーブ解除処理の第３の例のサブルーチンを示す図である。
【０１２７】
まず、前記ＣＰＵ３１の前記表示処理手段は、複合機１１に対するアクセス制御の機能が有効である場合に、液晶タッチパネル５３に前記ログイン画面ｄｓ１（図５）を形成する。そして、ユーザが、操作部位５２（図４）を操作し、ログイン画面ｄｓ１でユーザ名及びパスワードを入力すると、操作パネル制御部２３は、スキャナ部１２のインタフェース部２４及びプリンタ部１３のインタフェース部２７を介してセキュリティ管理部４６に入力されたユーザ名及びパスワードを通知する。
【０１２８】
次に、セキュリティ管理部４６の前記ユーザ情報取得処理手段は、操作パネル制御部２３から通知されたユーザ名及びパスワードを取得し、前記セキュリティ管理部４６の前記認証処理手段は、前記ユーザ情報テーブルを参照し、ユーザ名及びパスワードが一致するかどうかを判断する。
【０１２９】
そして、ユーザ名及びパスワードが一致しない場合、前記表示処理手段は、液晶タッチパネル５３にログイン失敗画面ｄｓ２（図６）を形成し、該ログイン失敗画面ｄｓ２に、複合機１１のログインに失敗した旨のメッセージｍｓ１を表示する。
【０１３０】
また、ユーザ名及びパスワードが一致する場合、前記セキュリティ管理部４６の前記ユーザ権限判断処理手段は、前記ユーザ権限テーブルを参照し、取得したユーザ名のユーザが有する、複合機１１の各機能を利用する権限を判断する。この場合、ユーザ名がＵＳＥＲ１のユーザは、印刷、コピー及びカラー印刷の各機能を利用する権限を有し、ユーザ名がＵＳＥＲ２のユーザは、スキャントゥＥメール、ファックス、スキャントゥサーバ及びスキャントゥユーザメモリの各機能を利用する権限を有する。したがって、ユーザ名がＵＳＥＲ１のユーザは、スキャナ２０、操作パネル２２、ＣＰＵ３１及び印刷機構２９を通常の状態に復帰させることによって複合機１１のパワーセーブを解除する権限を有し、ユーザ名がＵＳＥＲ２のユーザは、スキャナ２０、操作パネル２２及びＣＰＵ３１を通常の状態に復帰させることによって複合機１１のパワーセーブを解除する権限を有することになる。
【０１３１】
次に、セキュリティ管理部４６の前記セキュリティ管理部解除指示処理手段は、省電力管理部４４に複合機１１のパワーセーブを解除するためのパワーセーブ解除指示を送る。
【０１３２】
そして、ユーザ名がＵＳＥＲ１である場合、前記省電力管理部４４の前記省電力管理部解除指示処理手段は、スキャナ省電力制御部２５、操作パネル省電力制御部２６、ＣＰＵ省電力制御部４８及びプリンタ省電力制御部４９にパワーセーブ解除指示を送る。
【０１３３】
続いて、スキャナ省電力制御部２５、操作パネル省電力制御部２６、ＣＰＵ省電力制御部４８及びプリンタ省電力制御部４９の前記省電力制御部解除指示処理手段は、それぞれスキャナ制御部２１、操作パネル制御部２３、ＣＰＵ制御部３２及びプリンタ制御部３３にパワーセーブ解除指示を送る。
【０１３４】
次に、スキャナ制御部２１、操作パネル制御部２３、ＣＰＵ制御部３２及びプリンタ制御部３３の前記制御部解除指示処理手段は、それぞれスキャナ２０、操作パネル２２、ＣＰＵ３１及び印刷機構２９にパワーセーブ解除指示を送る。
【０１３５】
そして、パワーセーブ解除指示を受けると、スキャナ２０、操作パネル２２、ＣＰＵ３１及び印刷機構２９は、通常の状態に復帰することによって複合機１１のパワーセーブを解除する。
【０１３６】
また、ユーザ名がＵＳＥＲ２である場合、前記省電力管理部４４の前記省電力管理部解除指示処理手段は、スキャナ省電力制御部２５、操作パネル省電力制御部２６及びＣＰＵ省電力制御部４８にパワーセーブ解除指示を送る。
【０１３７】
続いて、スキャナ省電力制御部２５、操作パネル省電力制御部２６及びＣＰＵ省電力制御部４８の前記省電力制御部解除指示処理手段は、それぞれスキャナ制御部２１、操作パネル制御部２３及びＣＰＵ制御部３２にパワーセーブ解除指示を送る。
【０１３８】
次に、スキャナ制御部２１、操作パネル制御部２３及びＣＰＵ制御部３２の前記制御部解除指示処理手段は、それぞれスキャナ２０、操作パネル２２及びＣＰＵ３１にパワーセーブ解除指示を送る。
【０１３９】
そして、パワーセーブ解除指示を受けると、スキャナ２０、操作パネル２２及びＣＰＵ３１は、通常の状態に復帰することによって複合機１１のパワーセーブを解除する。
【０１４０】
次に、図２０のフローチャートについて説明する。
ステップＳ２−３１  ユーザ情報取得処理手段はユーザ名及びパスワードを取得する。
ステップＳ２−３２  認証処理手段は認証処理を行う。
ステップＳ２−３３  認証処理手段はユーザ名及びパスワードが一致するかどうかを判断する。ユーザ名及びパスワードが一致する場合はステップＳ２−３５に、ユーザ名及びパスワードが一致しない場合はステップＳ２−３４に進む。
ステップＳ２−３４  表示処理手段はログイン失敗画面ｄｓ２を形成し、リターンする。
ステップＳ２−３５  ユーザ権限判断処理手段はユーザ権限判断処理を行う。
ステップＳ２−３６  セキュリティ管理部解除指示処理手段はセキュリティ管理部解除指示処理を行う。
ステップＳ２−３７  省電力管理部解除指示処理手段は省電力管理部解除指示処理を行う。
ステップＳ２−３８  省電力制御部解除指示処理手段は省電力制御部解除指示処理を行う。
ステップＳ２−３９  制御部解除指示処理手段は制御部解除指示処理を行う。
ステップＳ２−４０  ユーザ名がＵＳＥＲ１である場合、スキャナ２０、操作パネル２２、ＣＰＵ３１及び印刷機構２９は、通常の状態に復帰することによって複合機１１のパワーセーブを解除し、ユーザ名がＵＳＥＲ２である場合、スキャナ２０、操作パネル２２及びＣＰＵ３１は、通常の状態に復帰することによって複合機１１のパワーセーブを解除し、リターンする。
【０１４１】
次に、このようにして複合機１１のパワーセーブが解除された後に、ユーザが利用する権限を有する所定の機能を選択し、選択した機能を実行するに当たり使用されないデバイスの消費電力を小さくすることによって複合機１１をパワーセーブに移行させるときのパワーセーブ移行処理について説明する。
【０１４２】
この場合、ユーザ名がＵＳＥＲ２のユーザが利用する権限を有する機能（スキャントゥＥメール、ファックス、スキャントゥサーバ及びスキャントゥユーザメモリ）を実行するに当たり使用されるデバイス（スキャナ２０、操作パネル２２及びＣＰＵ３１）が通常の状態に復帰させられてパワーセーブが解除された後に、ユーザがスキャントゥＥメールの機能を選択した場合について説明する。
【０１４３】
図２１は本発明の第１の実施の形態におけるパワーセーブ移行処理の第３の例のサブルーチンを示す第１の図、図２２は本発明の第１の実施の形態におけるパワーセーブ移行処理の第３の例のサブルーチンを示す第２の図である。
【０１４４】
まず、前記ＣＰＵ３１の前記表示処理手段は、複合機１１に対するアクセス制御の機能が有効である場合に、液晶タッチパネル５３に前記ログイン画面ｄｓ１（図５）を形成する。そして、ユーザ名がＵＳＥＲ２のユーザが、操作部位５２（図４）を操作し、ログイン画面ｄｓ１でユーザ名及びパスワードを入力すると、操作パネル制御部２３は、スキャナ部１２のインタフェース部２４及びプリンタ部１３のインタフェース部２７を介してセキュリティ管理部４６に入力されたユーザ名及びパスワードを通知する。
【０１４５】
次に、セキュリティ管理部４６の前記ユーザ情報取得処理手段は、操作パネル制御部２３から通知されたユーザ名及びパスワードを取得し、前記セキュリティ管理部４６の前記認証処理手段は、前記ユーザ情報テーブルを参照し、ユーザ名及びパスワードが一致するかどうかを判断する。
【０１４６】
そして、ユーザ名及びパスワードが一致しない場合、前記表示処理手段は、液晶タッチパネル５３にログイン失敗画面ｄｓ２（図６）を形成し、該ログイン失敗画面ｄｓ２に、複合機１１のログインに失敗した旨のメッセージｍｓ１を表示する。
【０１４７】
また、ユーザ名及びパスワードが一致する場合、前記セキュリティ管理部４６の前記ユーザ権限判断処理手段は、前記ユーザ権限テーブルを参照し、取得したユーザ名のユーザが有する、複合機１１の各機能を利用する権限を判断する。この場合、ユーザ名がＵＳＥＲ２のユーザは、スキャントゥＥメール、ファックス、スキャントゥサーバ及びスキャントゥユーザメモリの各機能を利用する権限を有するので、スキャナ２０、操作パネル２２及びＣＰＵ３１を通常の状態に復帰させることによって複合機１１のパワーセーブを解除する権限を有することになる。
【０１４８】
次に、セキュリティ管理部４６の前記セキュリティ管理部解除指示処理手段は、省電力管理部４４に複合機１１のパワーセーブを解除するためのパワーセーブ解除指示を送る。
【０１４９】
そして、前記省電力管理部４４の前記省電力管理部解除指示処理手段は、スキャナ省電力制御部２５、操作パネル省電力制御部２６及びＣＰＵ省電力制御部４８にパワーセーブ解除指示を送る。
【０１５０】
続いて、スキャナ省電力制御部２５、操作パネル省電力制御部２６及びＣＰＵ省電力制御部４８の前記省電力制御部解除指示処理手段は、それぞれスキャナ制御部２１、操作パネル制御部２３及びＣＰＵ制御部３２にパワーセーブ解除指示を送る。
【０１５１】
次に、スキャナ制御部２１、操作パネル制御部２３及びＣＰＵ制御部３２の前記制御部解除指示処理手段は、それぞれスキャナ２０、操作パネル２２及びＣＰＵ３１にパワーセーブ解除指示を送る。
【０１５２】
そして、パワーセーブ解除指示を受けると、スキャナ２０、操作パネル２２及びＣＰＵ３１は、通常の状態に復帰することによって複合機１１のパワーセーブを解除する。
【０１５３】
次に、ジョブ管理部４３の図示されない機能選択判断処理手段は、機能選択判断処理を行い、ユーザが操作部位５１を操作してスキャントゥＥメールの機能を選択したかどうかを判断し、ユーザがスキャントゥＥメールの機能を選択した場合、前記省電力管理部４４の前記省電力管理部移行指示処理手段は、プリンタ省電力制御部４９にパワーセーブ移行指示を送る。
【０１５４】
続いて、プリンタ省電力制御部４９の前記省電力制御部移行指示処理手段は、プリンタ制御部３３にパワーセーブ移行指示を送り、プリンタ制御部３３の前記制御部移行指示処理手段は、印刷機構２９にパワーセーブ移行指示を送る。
【０１５５】
そして、パワーセーブ移行指示を受けると、スキャントゥＥメールの機能を実行するに当たり使用されないデバイス、すなわち、印刷機構２９は、消費電力を小さくすることによって、複合機１１をパワーセーブに移行させる。
【０１５６】
次に、図２１及び２２のフローチャートについて説明する。
ステップＳ２−１３１  ユーザ情報取得処理手段はユーザ名及びパスワードを取得する。
ステップＳ２−１３２  認証処理手段は認証処理を行う。
ステップＳ２−１３３  認証処理手段はユーザ名及びパスワードが一致するかどうかを判断する。ユーザ名及びパスワードが一致する場合はステップＳ２−１３５に、ユーザ名及びパスワードが一致しない場合はステップＳ２−１３４に進む。
ステップＳ２−１３４  表示処理手段はログイン失敗画面ｄｓ２を形成し、リターンする。
ステップＳ２−１３５  ユーザ権限判断処理手段はユーザ権限判断処理を行う。
ステップＳ２−１３６  セキュリティ管理部解除指示処理手段はセキュリティ管理部解除指示処理を行う。
ステップＳ２−１３７  省電力管理部解除指示処理手段は省電力管理部解除指示処理を行う。
ステップＳ２−１３８  省電力制御部解除指示処理手段は省電力制御部解除指示処理を行う。
ステップＳ２−１３９  制御部解除指示処理手段は制御部解除指示処理を行う。
ステップＳ２−１４０  スキャナ２０、操作パネル２２及びＣＰＵ３１は、通常の状態に復帰することによって複合機１１のパワーセーブを解除する。
ステップＳ２−１４１  機能選択判断処理手段はスキャントゥＥメールの機能が選択されたかどうかを判断する。スキャントゥＥメールの機能が選択された場合はステップＳ２−１４２に進み、スキャントゥＥメールの機能が選択されない場合はリターンする。
ステップＳ２−１４２  省電力管理部移行指示処理手段は省電力管理部移行指示処理を行う。
ステップＳ２−１４３  省電力制御部移行指示処理手段は省電力制御部移行指示処理を行う。
ステップＳ２−１４４  制御部移行指示処理手段は制御部移行指示処理を行う。
ステップＳ２−１４５  印刷機構２９は消費電力を小さくすることによって、複合機１１をパワーセーブに移行させ、リターンする。
【０１５７】
次に、パワーセーブが行われている複合機１１において、ユーザがコピーの機能を利用する際に使用されるデバイスだけを通常の状態に復帰させることによって複合機１１のパワーセーブを解除するときのパワーセーブ解除処理について説明する。
【０１５８】
図２３は本発明の第１の実施の形態におけるパワーセーブ解除処理の第４の例のサブルーチンを示す第１の図、図２４は本発明の第１の実施の形態におけるパワーセーブ解除処理の第４の例のサブルーチンを示す第２の図である。
【０１５９】
まず、前記表示処理手段は、複合機１１に対するアクセス制御の機能又は課金の機能が有効である場合に、液晶タッチパネル５３にログイン画面ｄｓ１を形成する。そして、ユーザが、操作部位５２を操作し、ログイン画面ｄｓ１でユーザ名及びパスワードを入力すると、操作パネル制御部２３は、スキャナ部１２のインタフェース部２４及びプリンタ部１３のインタフェース部２７を介してセキュリティ管理部４６に入力されたユーザ名及びパスワードを通知する。
【０１６０】
次に、セキュリティ管理部４６の前記ユーザ情報取得処理手段は、操作パネル制御部２３から通知されたユーザ名及びパスワードを取得し、前記セキュリティ管理部４６の前記認証処理手段は、前記ユーザ情報テーブルを参照し、ユーザ名及びパスワードが一致するかどうかを判断する。
【０１６１】
そして、ユーザ名及びパスワードが一致しない場合、前記表示処理手段は、液晶タッチパネル５３にログイン失敗画面ｄｓ２を形成し、該ログイン失敗画面ｄｓ２に、複合機１１のログインに失敗した旨のメッセージｍｓ１を表示する。
【０１６２】
また、ユーザ名及びパスワードが一致する場合、ジョブ管理部４３の前記機能選択判断処理手段は、ユーザが操作部位５１を操作してコピーの機能を選択したかどうかを判断し、ユーザがコピーの機能を選択した場合、前記セキュリティ管理部４６の前記ユーザ権限判断処理手段は、前記ユーザ権限テーブルを参照し、取得したユーザ名のユーザがコピーの機能を利用する権限を有するかどうかを判断する。
【０１６３】
ユーザがコピーの機能を利用する権限を有しない場合、前記表示処理手段は、液晶タッチパネル５３にコピー禁止画面ｄｓ６（図１０）を形成し、該コピー禁止画面ｄｓ６に、ユーザがコピーの機能を利用する権限を有しない旨のメッセージｍｓ３を表示する。
【０１６４】
また、ユーザがコピーの機能を利用する権限を有する場合、セキュリティ管理部４６の前記セキュリティ管理部解除指示処理手段は、省電力管理部４４にパワーセーブ解除指示を送る。
【０１６５】
そして、前記省電力管理部４４の前記省電力管理部解除指示処理手段は、スキャナ省電力制御部２５、操作パネル省電力制御部２６、ＣＰＵ省電力制御部４８及びプリンタ省電力制御部４９にパワーセーブ解除指示を送る。
【０１６６】
続いて、スキャナ省電力制御部２５、操作パネル省電力制御部２６、ＣＰＵ省電力制御部４８及びプリンタ省電力制御部４９の前記省電力制御部解除指示処理手段は、それぞれスキャナ制御部２１、操作パネル制御部２３、ＣＰＵ制御部３２及びプリンタ制御部３３にパワーセーブ解除指示を送る。
【０１６７】
次に、スキャナ制御部２１、操作パネル制御部２３、ＣＰＵ制御部３２及びプリンタ制御部３３の前記制御部解除指示処理手段は、それぞれスキャナ２０、操作パネル２２、ＣＰＵ３１及び印刷機構２９にパワーセーブ解除指示を送る。
【０１６８】
そして、パワーセーブ解除指示を受けると、スキャナ２０、操作パネル２２、ＣＰＵ３１及び印刷機構２９は、通常の状態に復帰することによって複合機１１のパワーセーブを解除する。
【０１６９】
次に、図２３及び２４のフローチャートについて説明する。
ステップＳ２−４１  ユーザ情報取得処理手段はユーザ名及びパスワードを取得する。
ステップＳ２−４２  認証処理手段は認証処理を行う。
ステップＳ２−４３  認証処理手段はユーザ名及びパスワードが一致するかどうかを判断する。ユーザ名及びパスワードが一致する場合はステップＳ２−４４に、ユーザ名及びパスワードが一致しない場合はステップＳ２−４５に進む。
ステップＳ２−４４  機能選択判断処理手段はコピーの機能が選択されたかどうかを判断する。コピーの機能が選択された場合はステップＳ２−４６に進み、コピーの機能が選択されない場合はリターンする。
ステップＳ２−４５  表示処理手段はログイン失敗画面ｄｓ２を形成し、リターンする。
ステップＳ２−４６  ユーザ権限判断処理手段はユーザがコピーの機能を利用する権限（コピー権限）を有するかどうかを判断する。ユーザがコピーの機能を利用する権限を有する場合はステップＳ２−４８に、ユーザがコピーの機能を利用する権限を有しない場合はステップＳ２−４７に進む。
ステップＳ２−４７  表示処理手段はコピー禁止画面ｄｓ６を形成し、リターンする。
ステップＳ２−４８  セキュリティ管理部解除指示処理手段はセキュリティ管理部解除指示処理を行う。
ステップＳ２−４９  省電力管理部解除指示処理手段は省電力管理部解除指示処理を行う。
ステップＳ２−５０  省電力制御部解除指示処理手段は省電力制御部解除指示処理を行う。
ステップＳ２−５１  制御部解除指示処理手段は制御部解除指示処理を行う。
ステップＳ２−５２  スキャナ２０、操作パネル２２、ＣＰＵ３１及び印刷機構２９は、通常の状態に復帰することによって複合機１１のパワーセーブを解除し、リターンする。
【０１７０】
次に、パワーセーブが行われている複合機１１において、ユーザがスキャントゥＥメールの機能を利用する際に使用されるデバイスだけを通常の状態に復帰させることによって複合機１１のパワーセーブを解除するときのパワーセーブ解除処理について説明する。
【０１７１】
図２５は本発明の第１の実施の形態におけるパワーセーブ解除処理の第５の例のサブルーチンを示す図である。
【０１７２】
まず、前記表示処理手段は、複合機１１に対するアクセス制御の機能又は課金の機能が有効である場合に、液晶タッチパネル５３にログイン画面ｄｓ１を形成する。そして、ユーザが、操作部位５２を操作し、ログイン画面ｄｓ１でユーザ名及びパスワードを入力すると、操作パネル制御部２３は、スキャナ部１２のインタフェース部２４及びプリンタ部１３のインタフェース部２７を介してセキュリティ管理部４６にユーザ名及びパスワードを通知する。
【０１７３】
次に、セキュリティ管理部４６の前記ユーザ情報取得処理手段は、操作パネル制御部２３から通知されたユーザ名及びパスワードを取得し、前記セキュリティ管理部４６の前記認証処理手段は、前記ユーザ情報テーブルを参照し、ユーザ名及びパスワードが一致するかどうかを判断する。
【０１７４】
そして、ユーザ名及びパスワードが一致しない場合、前記表示処理手段は、液晶タッチパネル５３にログイン失敗画面ｄｓ２を形成し、該ログイン失敗画面ｄｓ２に、複合機１１のログインに失敗した旨のメッセージｍｓ１を表示する。
【０１７５】
また、ユーザ名及びパスワードが一致する場合、ジョブ管理部４３の前記機能選択判断処理手段は、ユーザが操作部位５１を操作してスキャントゥＥメールの機能を選択したかどうかを判断し、ユーザがスキャントゥＥメールの機能を選択した場合、前記セキュリティ管理部４６の前記ユーザ権限判断処理手段は、前記ユーザ権限テーブルを参照し、取得したユーザ名のユーザがスキャントゥＥメールの機能を利用する権限（スキャントゥＥメール権限）を有するかどうかを判断する。
【０１７６】
ユーザがスキャントゥＥメールの機能を利用する権限を有しない場合、前記表示処理手段は、液晶タッチパネル５３に図示されないスキャントゥＥメール禁止画面を形成し、該スキャントゥＥメール禁止画面に、ユーザがスキャントゥＥメールの機能を利用する権限を有しない旨のメッセージを表示する。
【０１７７】
ユーザがスキャントゥＥメールの機能を利用する権限を有する場合、セキュリティ管理部４６の前記セキュリティ管理部解除指示処理手段は、省電力管理部４４にパワーセーブ解除指示を送る。
【０１７８】
そして、前記省電力管理部４４の前記省電力管理部解除指示処理手段は、スキャナ省電力制御部２５、操作パネル省電力制御部２６及びＣＰＵ省電力制御部４８にパワーセーブ解除指示を送る。
【０１７９】
続いて、スキャナ省電力制御部２５、操作パネル省電力制御部２６及びＣＰＵ省電力制御部４８の前記省電力制御部解除指示処理手段は、それぞれスキャナ制御部２１、操作パネル制御部２３及びＣＰＵ制御部３２にパワーセーブ解除指示を送る。
【０１８０】
次に、スキャナ制御部２１、操作パネル制御部２３及びＣＰＵ制御部３２の前記制御部解除指示処理手段は、それぞれスキャナ２０、操作パネル２２及びＣＰＵ３１にパワーセーブ解除指示を送る。
【０１８１】
そして、パワーセーブ解除指示を受けると、スキャナ２０、操作パネル２２及びＣＰＵ３１は、通常の状態に復帰することによって複合機１１のパワーセーブを解除する。
【０１８２】
次に、図２５のフローチャートについて説明する。
ステップＳ２−６１  ユーザ情報取得処理手段はユーザ名及びパスワードを取得する。
ステップＳ２−６２  認証処理手段は認証処理を行う。
ステップＳ２−６３  認証処理手段はユーザ名及びパスワードが一致するかどうかを判断する。ユーザ名及びパスワードが一致する場合はステップＳ２−６４に、ユーザ名及びパスワードが一致しない場合はステップＳ２−６５に進む。
ステップＳ２−６４  機能選択判断処理手段はスキャントゥＥメールの機能が選択されたかどうかを判断する。スキャントゥＥメールの機能が選択された場合はステップＳ２−６６に進み、スキャントゥＥメールの機能が選択されない場合はリターンする。
ステップＳ２−６５  表示処理手段はログイン失敗画面ｄｓ２を形成し、リターンする。
ステップＳ２−６６  ユーザ権限判断処理手段はユーザがスキャントゥＥメールの機能を利用する権限（スキャントゥＥメール権限）を有するかどうかを判断する。ユーザがスキャントゥＥメールの機能を利用する権限を有する場合はステップＳ２−６８に、ユーザがスキャントゥＥメールの機能を利用する権限を有しない場合はステップＳ２−６７に進む。
ステップＳ２−６７  表示処理手段はスキャントゥＥメール禁止画面を形成し、リターンする。
ステップＳ２−６８  セキュリティ管理部解除指示処理手段はセキュリティ管理部解除指示処理を行う。
ステップＳ２−６９  省電力管理部解除指示処理手段は省電力管理部解除指示処理を行う。
ステップＳ２−７０  省電力制御部解除指示処理手段は省電力制御部解除指示処理を行う。
ステップＳ２−７１  制御部解除指示処理手段は制御部解除指示処理を行う。
ステップＳ２−７２  スキャナ２０、操作パネル２２及びＣＰＵ３１は、通常の状態に復帰することによって複合機１１のパワーセーブを解除し、リターンする。
【０１８３】
次に、印刷枚数が制限値に到達したときの複合機１１の動作について説明する。
【０１８４】
図２６は本発明の第１の実施の形態における複合機の第２の動作を説明するフローチャートである。
【０１８５】
前記課金サーバ１５（図１）の図示されない課金記録情報取得処理手段は、課金記録情報取得処理を行い、プリンタ部１３のインタフェース部２７を介して課金管理部３５に課金ログ取得コマンドを送信し、課金ログを送信するよう指示する。
【０１８６】
課金管理部３５の図示されない課金記録情報送信処理手段は、課金記録情報送信処理を行い、課金サーバ１５から課金ログ取得コマンドを受信すると、不揮発性メモリ３４に配設された課金ログテーブル（図１３）を参照し、課金ログを読み出し、前記インタフェース部２７を介して課金サーバ１５に送信する。前記課金記録情報取得処理手段は、課金管理部３５から課金ログを受信することによって取得する。
【０１８７】
そして、前記課金サーバ１５の図示されないジョブ実績判断処理手段としての課金記録情報判断処理手段は、ジョブ実績判断処理としての課金記録情報判断処理を行い、課金ログから各ユーザの印刷枚数を読み込み、印刷枚数が制限値に到達しているユーザが存在するかどうかを判断する。印刷枚数が制限値に到達しているユーザが存在しない場合、複合機１１は処理を終了し、印刷枚数が制限値に到達しているユーザが存在する場合、前記課金サーバ１５の図示されないユーザ権限規制処理手段は、ユーザ権限規制処理を行い、前記インタフェース部２７を介して課金管理部３５に、印刷枚数が制限値に到達しているユーザについての印刷権限規制指示としての印刷権限規制コマンドを送信する。
【０１８８】
そして、印刷権限規制コマンドを受けると、前記課金管理部３５の図示されないユーザ権限設定処理手段は、ユーザ権限設定処理を行い、前記印刷枚数テーブル（図１４）における、印刷枚数が制限値に到達しているユーザについて、印刷の機能を利用する権限を規制し、本実施の形態においては、印刷の機能を利用する権限を無くす。
【０１８９】
本実施の形態においては、課金ログテーブルに、ログ指標として印刷の機能における印刷枚数が設定され、印刷枚数が制限値に到達しているユーザについて、印刷の機能を利用する権限が無くされるようになっているが、複合機１１の他の機能、例えば、ファックスの機能における通信料金をログ指標として設定し、通信料金が制限値に到達しているユーザついて、ファックスの機能を利用する権限（ファックス権限）を規制することができる。
【０１９０】
次に、図２６のフローチャートについて説明する。
ステップＳ１１  課金記録情報取得処理手段は課金管理部３５から課金ログを取得する。
ステップＳ１２  課金記録情報判断処理手段は印刷枚数が制限値に到達しているユーザが存在するかどうかを判断する。印刷枚数が制限値に到達しているユーザが存在する場合はステップＳ１３に進み、印刷枚数が制限値に到達しているユーザが存在しない場合は処理を終了する。
ステップＳ１３  ユーザ権限規制処理手段は課金管理部３５に印刷権限規制コマンドを送信する。
ステップＳ１４  ユーザ権限設定処理手段はユーザの印刷の機能を利用する権限を無くし、処理を終了する。
【０１９１】
このように、本実施の形態においては、ユーザが複合機１１における所定の機能を利用する権限を有する場合に、利用することができる機能を実行するに当たり使用されるデバイスだけが通常の状態に復帰させられて、複合機１１のパワーセーブが解除される。したがって、ユーザが所定の機能を実行するに当たり使用されないデバイス及び利用が規制されたデバイスは、通常の状態に復帰させられることなく、消費電力が小さくされたままにされるので、複合機１１のパワーセーブが解除された後の各デバイスにおいて消費電力が無用に大きくなることがない。
【０１９２】
次に本発明の第２の実施の形態について説明する。なお、第１の実施の形態と同じ構造を有するものについては、同じ符号を付与し、同じ構造を有することによる発明の効果については同実施の形態の効果を援用する。
【０１９３】
図２７は本発明の第２の実施の形態におけるプリンタの制御ブロック図、図２８は本発明の第２の実施の形態における機能の利用頻度テーブルの例を示す図である。
【０１９４】
この場合、画像形成部としてのプリンタ部１３に機能利用情報管理処理手段としての、かつ、機能利用情報管理部としてのログ管理部５５が配設される。また、第２の記憶装置としての不揮発性メモリ３４に、図２８に示されるような、第２のユーザ管理情報記録部としての、かつ、機能利用情報記録部としての利用頻度テーブルが形成され、該利用頻度テーブルには、情報処理装置としての、かつ、画像形成装置としての複合機１１の各機能ごとに、かつ、各ユーザごとに、第２のユーザ管理情報としての利用頻度が利用回数で記録される。
【０１９５】
そして、機能実行処理手段としての、かつ、ジョブ管理処理手段としてのジョブ管理部４３は、プリント制御処理手段としてのプリント制御部３６、スキャン制御処理手段としてのスキャン制御部３７及びファックス制御処理手段としてのファックス制御部３８において、上位装置としてのホストコンピュータ１４から送信されたジョブが処理されるのに伴って、複合機１１において所定の機能が実行されると、その旨をログ管理部５５に通知する。
【０１９６】
そして、前記ログ管理部５５の図示されない機能利用情報更新処理手段は、機能利用情報更新処理を行い、ジョブ管理部４３から所定の機能が実行されたことが通知されると、実行された機能について利用頻度テーブルの利用頻度を更新（利用回数の値をインクリメント）する。
【０１９７】
次に、ユーザによって選択された機能又は利用頻度が最も高い機能を実行するに当たり使用されるデバイスを通常の状態に復帰させて、複合機１１のパワーセーブを解除するときのパワーセーブ解除処理について説明する。
【０１９８】
図２９は本発明の第２の実施の形態におけるパワーセーブ解除処理の第１の例のサブルーチンを示す第１の図、図３０は本発明の第２の実施の形態におけるパワーセーブ解除処理の第１の例のサブルーチンを示す第２の図である。
【０１９９】
まず、演算装置としての、かつ、制御部としてのＣＰＵ３１の前記表示処理手段は、複合機１１に対するアクセス制御の機能又は課金の機能が有効である場合に、表示要素としての液晶タッチパネル５３（図４）にログイン画面ｄｓ１（図５）を形成する。そして、ユーザが、操作部位５２を操作し、ログイン画面ｄｓ１でユーザ識別情報としてのユーザ名及びパスワードを入力すると、操作パネル制御処理手段としての操作パネル制御部２３は、画像読取部としてのスキャナ部１２のインタフェース部２４及びプリンタ部１３のインタフェース部２７を介してセキュリティ管理処理手段としてのセキュリティ管理部４６にユーザ名及びパスワードを通知する。
【０２００】
次に、セキュリティ管理部４６の前記ユーザ情報取得処理手段は、操作パネル制御部２３から通知されたユーザ名及びパスワードを取得し、前記セキュリティ管理部４６の前記認証処理手段は、ユーザ情報記録部としてのユーザ情報テーブル（図１１）を参照し、ユーザ名及びパスワードが一致するかどうかによって、ユーザの認証を行う。
【０２０１】
ユーザ名及びパスワードが一致しない場合、前記表示処理手段は、液晶タッチパネル５３にログイン失敗画面ｄｓ２を形成し、該ログイン失敗画面ｄｓ２に、複合機１１のログインに失敗した旨のメッセージｍｓ１を表示する。
【０２０２】
また、ユーザ名及びパスワードが一致する場合、前記セキュリティ管理部４６の前記ユーザ権限判断処理手段は、ユーザ権限情報記録部としてのユーザ権限テーブル（図１２）を参照し、第１のユーザ管理情報としてのユーザ権限情報に基づいて、取得したユーザ名のユーザが有する権限を判断する。
【０２０３】
次に、前記ジョブ管理部４３の前記機能選択判断処理手段は、ユーザが操作部位５１を操作して所定の機能を選択したかどうかを判断し、ユーザが所定の機能を選択した場合、前記セキュリティ管理部４６の前記ユーザ権限判断処理手段は、ユーザが選択された機能を利用する権限を有するかどうかを判断する。そして、ユーザが選択された機能を利用する権限を有しない場合、前記表示処理手段は、液晶タッチパネル５３に図示されない機能禁止画面を形成し、該機能禁止画面に、ユーザが所定の機能を利用する権限を有しない旨のメッセージを表示する。
【０２０４】
また、ユーザが選択した機能を利用する権限を有する場合、セキュリティ管理部４６の前記セキュリティ管理部解除指示処理手段は、省電力管理処理手段としての省電力管理部４４に複合機１１のパワーセーブを解除するためのパワーセーブ解除指示を送る。
【０２０５】
そして、前記省電力管理部４４の前記省電力管理部解除指示処理手段は、スキャナ省電力制御処理手段としてのスキャナ省電力制御部２５、操作パネル省電力制御処理手段としての操作パネル省電力制御部２６、ＣＰＵ省電力制御処理手段としてのＣＰＵ省電力制御部４８及びプリンタ省電力制御処理手段としてのプリンタ省電力制御部４９のうちの、ユーザが選択した機能に対応する各省電力制御部にパワーセーブ解除指示を送る。
【０２０６】
続いて、ユーザが選択した機能に対応する各省電力制御部の省電力制御部解除指示処理手段は、対応する各デバイス制御部にパワーセーブ解除指示を送り、対応する各デバイス制御部の制御部解除指示処理手段は、対応する各デバイスにパワーセーブ解除指示を送る。
【０２０７】
そして、パワーセーブ解除指示を受けると、前記各デバイスは、通常の状態に復帰することによって複合機１１のパワーセーブを解除する。
【０２０８】
また、ユーザがあらかじめ設定された時間、例えば、１０〔秒〕間、所定の機能を選択しない場合、前記セキュリティ管理部４６の図示されない機能利用情報取得処理手段としての利用頻度取得処理手段は、機能利用情報取得処理としての利用頻度取得処理を行い、前記利用頻度テーブルを参照し、各ユーザが利用する権限を有する各機能の利用頻度を取得し、前記セキュリティ管理部４６の図示されない利用頻度判断処理手段としての機能選択処理手段は、利用頻度判断処理としての機能選択処理を行い、各ユーザが利用する権限を有する各機能のうちの利用頻度が最も高い機能を選択する。
【０２０９】
本実施の形態において、ユーザ名がＵＳＥＲ１のユーザにおいて利用頻度が最も高い機能はコピーの機能であり、ユーザ名がＵＳＥＲ２のユーザにおいて利用頻度が最も高い機能はスキャントゥＥメールの機能である。
【０２１０】
次に、セキュリティ管理部４６の前記セキュリティ管理部解除指示処理手段は、省電力管理部４４にパワーセーブ解除指示を送る。
【０２１１】
そして、ユーザ名がＵＳＥＲ１である場合、前記省電力管理部４４の前記省電力管理部解除指示処理手段は、スキャナ省電力制御部２５、操作パネル省電力制御部２６、ＣＰＵ省電力制御部４８及びプリンタ省電力制御部４９にパワーセーブ解除指示を送る。
【０２１２】
続いて、スキャナ省電力制御部２５、操作パネル省電力制御部２６、ＣＰＵ省電力制御部４８及びプリンタ省電力制御部４９の前記省電力制御部解除指示処理手段は、それぞれスキャナ制御部２１、操作パネル制御部２３、ＣＰＵ制御部３２及びプリンタ制御部３３にパワーセーブ解除指示を送る。
【０２１３】
次に、スキャナ制御部２１、操作パネル制御部２３、ＣＰＵ制御部３２及びプリンタ制御部３３の前記制御部解除指示処理手段は、それぞれスキャナ２０、操作パネル２２、ＣＰＵ３１及び印刷機構２９にパワーセーブ解除指示を送る。
【０２１４】
そして、パワーセーブ解除指示を受けると、スキャナ２０、操作パネル２２、ＣＰＵ３１及び印刷機構２９は、通常の状態に復帰することによって複合機１１のパワーセーブを解除する。
【０２１５】
また、ユーザ名がＵＳＥＲ２である場合、前記省電力管理部４４の前記省電力管理部解除指示処理手段は、スキャナ省電力制御部２５、操作パネル省電力制御部２６及びＣＰＵ省電力制御部４８にパワーセーブ解除指示を送る。
【０２１６】
続いて、スキャナ省電力制御部２５、操作パネル省電力制御部２６及びＣＰＵ省電力制御部４８の前記省電力制御部解除指示処理手段は、それぞれスキャナ制御部２１、操作パネル制御部２３及びＣＰＵ制御部３２にパワーセーブ解除指示を送る。
【０２１７】
次に、スキャナ制御部２１、操作パネル制御部２３及びＣＰＵ制御部３２の前記制御部解除指示処理手段は、それぞれスキャナ２０、操作パネル２２及びＣＰＵ３１にパワーセーブ解除指示を送る。
【０２１８】
そして、パワーセーブ解除指示を受けると、スキャナ２０、操作パネル２２及びＣＰＵ３１は、通常の状態に復帰することによって複合機１１のパワーセーブを解除する。
【０２１９】
なお、本実施の形態において、前記セキュリティ管理部４６の機能選択処理手段は、各ユーザが利用する権限を有する各機能のうちの利用頻度が最も高い機能を選択するようになっているが、各機能のうちの利用頻度が高い順に複数の機能を選択したり、利用頻度があらかじめ設定された閾値より高い機能を選択したりすることができる。
【０２２０】
次に、図２９及び３０のフローチャートについて説明する。
ステップＳ２−８１  ユーザ情報取得処理手段はユーザ名及びパスワードを取得する。
ステップＳ２−８２  認証処理手段は認証処理を行う。
ステップＳ２−８３  認証処理手段はユーザ名及びパスワードが一致するかどうかを判断する。ユーザ名及びパスワードが一致する場合はステップＳ２−８５に、ユーザ名及びパスワードが一致しない場合はステップＳ２−８４に進む。
ステップＳ２−８４  表示処理手段はログイン失敗画面ｄｓ２を形成し、リターンする。
ステップＳ２−８５  ユーザ権限判断処理手段はユーザ権限判断処理を行う。
ステップＳ２−８６  機能選択判断処理手段は所定の機能が選択されたかどうかを判断する。所定の機能が選択された場合はステップＳ２−８７に、所定の機能が選択されない場合はステップＳ２−８９に進む。
ステップＳ２−８７  ユーザ権限判断処理手段はユーザが所定の機能を利用する権限を有するかどうかを判断する。ユーザが所定の機能を利用する権限を有する場合はステップＳ２−９１に、ユーザが所定の機能を利用する権限を有しない場合はステップＳ２−８８に進む。
ステップＳ２−８８  表示処理手段は機能禁止画面ｄｓ６を形成し、リターンする。
ステップＳ２−８９  利用頻度取得処理手段は利用頻度取得処理を行う。
ステップＳ２−９０  機能選択処理手段は利用頻度が最も高い機能を選択する。
ステップＳ２−９１  セキュリティ管理部解除指示処理手段はセキュリティ管理部解除指示処理を行う。
ステップＳ２−９２  省電力管理部解除指示処理手段は省電力管理部解除指示処理を行う。
ステップＳ２−９３  省電力制御部解除指示処理手段は省電力制御部解除指示処理を行う。
ステップＳ２−９４  制御部解除指示処理手段は制御部解除指示処理を行う。
ステップＳ２−９５  スキャナ２０、操作パネル２２及びＣＰＵ３１は、通常の状態に復帰することによって複合機１１のパワーセーブを解除し、リターンする。
【０２２１】
次に、ユーザが複合機１１をログインしたときに、利用頻度が最も高い機能を実行するに当たり使用されるデバイスを通常の状態に復帰させて、複合機１１のパワーセーブを解除するときのパワーセーブ解除処理について説明する。
【０２２２】
図３１は本発明の第２の実施の形態におけるパワーセーブ解除処理の第２の例のサブルーチンを示す第１の図、図３２は本発明の第２の実施の形態におけるパワーセーブ解除処理の第２の例のサブルーチンを示す第２の図である。
【０２２３】
まず、ＣＰＵ３１の前記表示処理手段は、複合機１１に対するアクセス制御の機能又は課金の機能が有効である場合に、液晶タッチパネル５３（図４）にログイン画面ｄｓ１（図５）を形成する。そして、ユーザが、操作部位５２を操作し、ログイン画面ｄｓ１でユーザ名及びパスワードを入力すると、操作パネル制御部２３は、スキャナ部１２のインタフェース部２４及びプリンタ部１３のインタフェース部２７を介してセキュリティ管理部４６にユーザ名及びパスワードを通知する。
【０２２４】
次に、セキュリティ管理部４６の前記ユーザ情報取得処理手段は、操作パネル制御部２３から通知されたユーザ名及びパスワードを取得し、前記セキュリティ管理部４６の前記認証処理手段は、ユーザ情報テーブル（図１１）を参照し、ユーザ名及びパスワードが一致するかどうかによって、ユーザの認証を行う。
【０２２５】
ユーザ名及びパスワードが一致しない場合、前記表示処理手段は、液晶タッチパネル５３にログイン失敗画面ｄｓ２を形成し、該ログイン失敗画面ｄｓ２に、複合機１１のログインに失敗した旨のメッセージｍｓ１を表示する。
【０２２６】
また、ユーザ名及びパスワードが一致する場合、前記セキュリティ管理部４６の前記ユーザ権限判断処理手段は、ユーザ権限テーブル（図１２）を参照し、ユーザ権限情報に基づいて、取得したユーザ名のユーザが有する各機能を利用する権限を判断し、ユーザが利用する権限を有する機能を、複合機１１のパワーセーブを解除するためのパワーセーブ解除候補機能とする。
【０２２７】
続いて、前記セキュリティ管理部４６の前記利用頻度取得処理手段は、前記利用頻度テーブルを参照し、各ユーザが利用する権限を有する各機能の利用頻度を取得し、前記セキュリティ管理部４６の前記機能選択処理手段は、前記パワーセーブ解除候補機能のうちの利用頻度が最も高い機能を選択する。
【０２２８】
次に、セキュリティ管理部４６の前記セキュリティ管理部解除指示処理手段は、省電力管理部４４にパワーセーブ解除指示を送る。
【０２２９】
そして、ユーザ名がＵＳＥＲ１である場合、図２８に示されるように、利用頻度の最も高い機能がコピーの機能であるので、前記省電力管理部４４の前記省電力管理部解除指示処理手段は、スキャナ省電力制御部２５、操作パネル省電力制御部２６、ＣＰＵ省電力制御部４８及びプリンタ省電力制御部４９にパワーセーブ解除指示を送る。
【０２３０】
続いて、スキャナ省電力制御部２５、操作パネル省電力制御部２６、ＣＰＵ省電力制御部４８及びプリンタ省電力制御部４９の前記省電力制御部解除指示処理手段は、それぞれスキャナ制御部２１、操作パネル制御部２３、ＣＰＵ制御部３２及びプリンタ制御部３３にパワーセーブ解除指示を送る。
【０２３１】
次に、スキャナ制御部２１、操作パネル制御部２３、ＣＰＵ制御部３２及びプリンタ制御部３３の前記制御部解除指示処理手段は、それぞれスキャナ２０、操作パネル２２、ＣＰＵ３１及び印刷機構２９にパワーセーブ解除指示を送る。
【０２３２】
そして、パワーセーブ解除指示を受けると、スキャナ２０、操作パネル２２、ＣＰＵ３１及び印刷機構２９は、通常の状態に復帰することによって複合機１１のパワーセーブを解除する。
【０２３３】
また、ユーザ名がＵＳＥＲ２である場合、図２８に示されるように、利用頻度の最も高い機能がスキャントゥＥメールの機能であるので、前記省電力管理部４４の前記省電力管理部解除指示処理手段は、スキャナ省電力制御部２５、操作パネル省電力制御部２６及びＣＰＵ省電力制御部４８にパワーセーブ解除指示を送る。
【０２３４】
続いて、スキャナ省電力制御部２５、操作パネル省電力制御部２６及びＣＰＵ省電力制御部４８の前記省電力制御部解除指示処理手段は、それぞれスキャナ制御部２１、操作パネル制御部２３及びＣＰＵ制御部３２にパワーセーブ解除指示を送る。
【０２３５】
次に、スキャナ制御部２１、操作パネル制御部２３及びＣＰＵ制御部３２の前記制御部解除指示処理手段は、それぞれスキャナ２０、操作パネル２２及びＣＰＵ３１にパワーセーブ解除指示を送る。
【０２３６】
そして、パワーセーブ解除指示を受けると、スキャナ２０、操作パネル２２及びＣＰＵ３１は、通常の状態に復帰することによって複合機１１のパワーセーブを解除する。
【０２３７】
なお、本実施の形態において、前記セキュリティ管理部４６の機能選択処理手段は、各ユーザが利用する権限を有する各機能のうちの利用頻度が最も高い機能を選択するようになっているが、各機能のうちの利用頻度が高い順に複数の機能を選択したり、利用頻度があらかじめ設定された閾値より高い機能を選択したりすることができる。
【０２３８】
また、本実施の形態において、機能選択処理手段は、前記パワーセーブ解除候補機能のうちの利用頻度が最も高い機能を選択するようになっているが、前記パワーセーブ解除候補機能のうちの利用頻度が最も低い機能を選択し、前記セキュリティ管理部解除指示処理手段は、省電力管理部４４に、利用頻度が最も低い機能以外の機能を実行するに当たり使用されるデバイスを通常の状態に復帰させるためのパワーセーブ解除指示を送ることができる。
【０２３９】
次に、図３１及び３２のフローチャートについて説明する。
ステップＳ２−１８１  ユーザ情報取得処理手段はユーザ名及びパスワードを取得する。
ステップＳ２−１８２  認証処理手段は認証処理を行う。
ステップＳ２−１８３  認証処理手段はユーザ名及びパスワードが一致するかどうかを判断する。ユーザ名及びパスワードが一致する場合はステップＳ２−１８５に、ユーザ名及びパスワードが一致しない場合はステップＳ２−１８４に進む。
ステップＳ２−１８４  表示処理手段はログイン失敗画面ｄｓ２を形成し、リターンする。
ステップＳ２−１８５  ユーザ権限判断処理手段はユーザ権限判断処理を行う。
ステップＳ２−１８６  利用頻度取得処理手段は利用頻度取得処理を行う。
ステップＳ２−１８７  機能選択処理手段は利用頻度が最も高い機能を選択する。
ステップＳ２−１８８  セキュリティ管理部解除指示処理手段はセキュリティ管理部解除指示処理を行う。
ステップＳ２−１８９  省電力管理部解除指示処理手段は省電力管理部解除指示処理を行う。
ステップＳ２−１９０  省電力制御部解除指示処理手段は省電力制御部解除指示処理を行う。
ステップＳ２−１９１  制御部解除指示処理手段は制御部解除指示処理を行う。
ステップＳ２−１９２  ユーザ名がＵＳＥＲ１である場合、スキャナ２０、操作パネル２２、ＣＰＵ３１及び印刷機構２９は、通常の状態に復帰することによって複合機１１のパワーセーブを解除し、ユーザ名がＵＳＥＲ２である場合、スキャナ２０、操作パネル２２及びＣＰＵ３１は、通常の状態に復帰することによって複合機１１のパワーセーブを解除し、リターンする。
【０２４０】
次に、このようにしてパワーセーブ解除処理が行われた後のジョブ管理部４３の機能実行処理手段の動作について説明する。
【０２４１】
図３３は本発明の第２の実施の形態における機能実行処理の第１の例のサブルーチンを示す図である。
【０２４２】
ユーザが操作部位５１を操作して複合機１１の各機能のうちの所定の機能を選択すると、前記ジョブ管理部４３の図示されないジョブ処理手段は、ジョブ処理を行い、プリント制御部３６、スキャン制御部３７及びファックス制御部３８のうちの所定の制御部において、選択された機能を実行し、ジョブを処理する。
【０２４３】
続いて、前記ジョブ管理部４３の図示されない通知処理手段は、通知処理を行い、所定の制御部においてジョブが処理されるのに伴って、複合機１１において所定の機能が実行されると、その旨をログ管理部５５に通知する。
【０２４４】
次に、ログ管理部５５の図示されない利用頻度更新処理手段は、利用頻度更新処理を行い、ジョブ管理部４３から所定の機能が実行されたことが通知されると、実行された機能について利用頻度テーブルの利用頻度を更新する。
【０２４５】
次に、図３３のフローチャートについて説明する。
ステップＳ３−１  機能選択判断処理手段は所定の機能が選択されたかどうかを判断する。所定の機能が選択された場合はステップＳ３−２に進み、所定の機能が選択されない場合はリターンする。
ステップＳ３−２  ジョブ処理手段はジョブ処理を行う。
ステップＳ３−３  通知処理手段はログ管理部５５に所定の機能が実行されたことを通知する。
ステップＳ３−４  利用頻度更新処理手段は利用頻度更新処理を行い、リターンする。
【０２４６】
次に、ユーザが利用する権限を有する各機能のうちのコピーの機能の利用頻度が最も高い場合に、パワーセーブが行われている複合機１１において、コピーの機能を実行するに当たり使用されるデバイスを通常の状態に復帰させることによって複合機１１のパワーセーブを解除するときのパワーセーブ解除処理について説明する。
【０２４７】
図３４は本発明の第２の実施の形態におけるパワーセーブ解除処理の第２の例のサブルーチンを示す第１の図、図３５は本発明の第２の実施の形態におけるパワーセーブ解除処理の第２の例のサブルーチンを示す第２の図である。
【０２４８】
まず、前記表示処理手段は、複合機１１に対するアクセス制御の機能又は課金の機能が有効である場合に、液晶タッチパネル５３にログイン画面ｄｓ１を形成する。そして、ユーザが、操作部位５２を操作し、ログイン画面ｄｓ１でユーザ名及びパスワードを入力すると、操作パネル制御部２３は、スキャナ部１２のインタフェース部２４及びプリンタ部１３のインタフェース部２７を介してセキュリティ管理部４６にユーザ名及びパスワードを通知する。
【０２４９】
次に、セキュリティ管理部４６の前記ユーザ情報取得処理手段は、操作パネル制御部２３から通知されたユーザ名及びパスワードを取得し、前記セキュリティ管理部４６の前記認証処理手段は、前記ユーザ情報テーブルを参照し、ユーザ名及びパスワードが一致するかどうかを判断する。
【０２５０】
そして、ユーザ名及びパスワードが一致しない場合、前記表示処理手段は、液晶タッチパネル５３にログイン失敗画面ｄｓ２を形成し、該ログイン失敗画面ｄｓ２に、複合機１１のログインに失敗した旨のメッセージｍｓ１を表示する。
【０２５１】
また、ユーザ名及びパスワードが一致する場合、前記セキュリティ管理部４６の前記ユーザ権限判断処理手段は、前記ユーザ権限テーブルを参照し、取得したユーザ名のユーザがコピーの機能を利用する権限を有するかどうかを判断する。
【０２５２】
ユーザがコピーの機能を利用する権限を有しない場合、前記表示処理手段は、液晶タッチパネル５３にコピー禁止画面ｄｓ６を形成し、該コピー禁止画面ｄｓ６に、ユーザがコピーの機能を利用する権限を有しない旨のメッセージｍｓ３を表示する。
【０２５３】
そして、ユーザがコピーの機能を利用する権限を有する場合、前記セキュリティ管理部４６の前記利用頻度取得処理手段は、前記利用頻度テーブル（図２８）を参照し、各ユーザが利用する権限を有する各機能の利用頻度のうちのコピーの機能の利用頻度が最も高いかどうかを判断する。
【０２５４】
コピーの機能の利用頻度が最も高い場合、セキュリティ管理部４６の前記セキュリティ管理部解除指示処理手段は、省電力管理部４４にパワーセーブ解除指示を送る。
【０２５５】
そして、前記省電力管理部４４の前記省電力管理部解除指示処理手段は、スキャナ省電力制御部２５、操作パネル省電力制御部２６、ＣＰＵ省電力制御部４８及びプリンタ省電力制御部４９にパワーセーブ解除指示を送る。
【０２５６】
続いて、スキャナ省電力制御部２５、操作パネル省電力制御部２６、ＣＰＵ省電力制御部４８及びプリンタ省電力制御部４９の前記省電力制御部解除指示処理手段は、それぞれスキャナ制御部２１、操作パネル制御部２３、ＣＰＵ制御部３２及びプリンタ制御部３３にパワーセーブ解除指示を送る。
【０２５７】
次に、スキャナ制御部２１、操作パネル制御部２３、ＣＰＵ制御部３２及びプリンタ制御部３３の前記制御部解除指示処理手段は、それぞれスキャナ２０、操作パネル２２、ＣＰＵ３１及び印刷機構２９にパワーセーブ解除指示を送る。
【０２５８】
そして、パワーセーブ解除指示を受けると、スキャナ２０、操作パネル２２、ＣＰＵ３１及び印刷機構２９は、通常の状態に復帰することによって複合機１１のパワーセーブを解除する。
【０２５９】
次に、図３４及び３５のフローチャートについて説明する。
ステップＳ２−１０１  ユーザ情報取得処理手段はユーザ名及びパスワードを取得する。
ステップＳ２−１０２  認証処理手段は認証処理を行う。
ステップＳ２−１０３  認証処理手段はユーザ名及びパスワードが一致するかどうかを判断する。ユーザ名及びパスワードが一致する場合はステップＳ２−１０５に、ユーザ名及びパスワードが一致しない場合はステップＳ２−１０４に進む。
ステップＳ２−１０４  表示処理手段はログイン失敗画面ｄｓ２を形成し、リターンする。
ステップＳ２−１０５  ユーザ権限判断処理手段はユーザがコピーの機能を利用する権限を有するかどうかを判断する。ユーザがコピーの機能を利用する権限を有する場合はステップＳ２−１０７に、ユーザがコピーの機能を利用する権限を有しない場合はステップＳ２−１０６に進む。
ステップＳ２−１０６  表示処理手段はコピー禁止画面ｄｓ６を形成し、リターンする。
ステップＳ２−１０７  利用頻度取得処理手段はコピーの機能の利用頻度が最も高いかどうかを判断する。コピーの機能の利用頻度が最も高い場合はステップＳ２−１０８に進み、コピーの機能の利用頻度が最も高くない場合はリターンする。
ステップＳ２−１０８  セキュリティ管理部解除指示処理手段はセキュリティ管理部解除指示処理を行う。
ステップＳ２−１０９  省電力管理部解除指示処理手段は省電力管理部解除指示処理を行う。
ステップＳ２−１１０  省電力制御部解除指示処理手段は省電力制御部解除指示処理を行う。
ステップＳ２−１１１  制御部解除指示処理手段は制御部解除指示処理を行う。
ステップＳ２−１１２  スキャナ２０、操作パネル２２、ＣＰＵ３１及び印刷機構２９は、通常の状態に復帰することによって複合機１１のパワーセーブを解除し、リターンする。
【０２６０】
次に、このようにしてパワーセーブ解除処理が行われた後の機能実行処理手段の動作について説明する。
【０２６１】
図３６は本発明の第２の実施の形態における機能実行処理の第２の例のサブルーチンを示す図である。
【０２６２】
ユーザが操作部位５１を操作してコピーの機能を選択すると、前記ジョブ管理部４３の前記ジョブ処理手段は、前記プリント制御部３６及びスキャン制御部３７において、選択されたコピーの機能を実行し、ジョブを処理する。
【０２６３】
続いて、前記ジョブ管理部４３の前記通知処理手段は、プリント制御部３６及びスキャン制御部３７においてジョブが処理されるのに伴って、複合機１１においてコピーの機能が実行されると、その旨をログ管理部５５に通知する。
【０２６４】
そして、ログ管理部５５の前記利用頻度更新処理手段は、ジョブ管理部４３からコピーの機能が実行されたことが通知されると、コピーの機能について利用頻度テーブルの利用頻度を更新する。
【０２６５】
次に、図３６のフローチャートについて説明する。
ステップＳ３−１１  機能選択判断処理手段はコピーの機能が選択されるのを待機する。コピーの機能が選択された場合はステップＳ３−１２に進む。
ステップＳ３−１２  ジョブ処理手段はジョブ処理を行う。
ステップＳ３−１３  通知処理手段はログ管理部５５にコピーの機能が実行されたことを通知する。
ステップＳ３−１４  利用頻度更新処理手段は利用頻度更新処理を行い、リターンする。
【０２６６】
次に、ユーザが利用する権限を有する各機能のうちのスキャントゥＥメールの機能の利用頻度が最も高い場合に、パワーセーブが行われている複合機１１において、スキャントゥＥメールの機能を実行するに当たり使用されるデバイスだけを通常の状態に復帰させることによって複合機１１のパワーセーブを解除するときのパワーセーブ解除処理について説明する。
【０２６７】
図３７は本発明の第２の実施の形態におけるパワーセーブ解除処理の第３の例のサブルーチンを示す第１の図、図３８は本発明の第２の実施の形態におけるパワーセーブ解除処理の第３の例のサブルーチンを示す第２の図である。
【０２６８】
まず、前記表示処理手段は、複合機１１に対するアクセス制御の機能又は課金の機能が有効である場合に、液晶タッチパネル５３にログイン画面ｄｓ１を形成する。そして、ユーザが、操作部位５２を操作し、ログイン画面ｄｓ１でユーザ名及びパスワードを入力すると、操作パネル制御部２３は、スキャナ部１２のインタフェース部２４及びプリンタ部１３のインタフェース部２７を介してセキュリティ管理部４６にユーザ名及びパスワードを通知する。
【０２６９】
次に、セキュリティ管理部４６の前記ユーザ情報取得処理手段は、操作パネル制御部２３から通知されたユーザ名及びパスワードを取得し、前記セキュリティ管理部４６の前記認証処理手段は、前記ユーザ情報テーブルを参照し、ユーザ名及びパスワードが一致するかどうかを判断する。
【０２７０】
そして、ユーザ名及びパスワードが一致しない場合、前記表示処理手段は、液晶タッチパネル５３にログイン失敗画面ｄｓ２を形成し、該ログイン失敗画面ｄｓ２に、複合機１１のログインに失敗した旨のメッセージｍｓ１を表示する。
【０２７１】
また、ユーザ名及びパスワードが一致する場合、前記セキュリティ管理部４６の前記ユーザ権限判断処理手段は、前記ユーザ権限テーブルを参照し、取得したユーザ名のユーザがスキャントゥＥメールの機能を利用する権限を有するかどうかを判断する。
【０２７２】
ユーザがスキャントゥＥメールの機能を利用する権限を有しない場合、前記表示処理手段は、液晶タッチパネル５３にスキャントゥＥメール禁止画面を形成し、該スキャントゥＥメール禁止画面に、ユーザがスキャントゥＥメールの機能を利用する権限を有しない旨のメッセージを表示する。
【０２７３】
ユーザがスキャントゥＥメールの機能を利用する権限を有する場合、前記セキュリティ管理部４６の前記利用頻度取得処理手段は、前記利用頻度テーブルを参照し、各ユーザが利用する権限を有する各機能の利用頻度のうちのスキャントゥＥメールの機能の利用頻度が最も高いかどうかを判断する。
【０２７４】
スキャントゥＥメールの機能の利用頻度が最も高い場合、セキュリティ管理部４６の前記セキュリティ管理部解除指示処理手段は、省電力管理部４４にパワーセーブ解除指示を送る。
【０２７５】
そして、前記省電力管理部４４の前記省電力管理部解除指示処理手段は、スキャナ省電力制御部２５、操作パネル省電力制御部２６及びＣＰＵ省電力制御部４８にパワーセーブ解除指示を送る。
【０２７６】
続いて、スキャナ省電力制御部２５、操作パネル省電力制御部２６及びＣＰＵ省電力制御部４８の前記省電力制御部解除指示処理手段は、それぞれ省電力制御部解除指示処理を行い、スキャナ制御部２１、操作パネル制御部２３及びＣＰＵ制御部３２は、スキャナ２０及びＣＰＵ３１にパワーセーブ解除指示を送る。
【０２７７】
そして、パワーセーブ解除指示を受けると、スキャナ２０、操作パネル２２及びＣＰＵ３１は、通常の状態に復帰することによって複合機１１のパワーセーブを解除する。
【０２７８】
次に、図３７及び３８のフローチャートについて説明する。
ステップＳ２−１２１  ユーザ情報取得処理手段はユーザ名及びパスワードを取得する。
ステップＳ２−１２２  認証処理手段は認証処理を行う。
ステップＳ２−１２３  認証処理手段はユーザ名及びパスワードが一致するかどうかを判断する。ユーザ名及びパスワードが一致する場合はステップＳ２−１２５に、ユーザ名及びパスワードが一致しない場合はステップＳ２−１２４に進む。
ステップＳ２−１２４  表示処理手段はログイン失敗画面ｄｓ２を形成し、リターンする。
ステップＳ２−１２５  ユーザ権限判断処理手段はユーザがスキャントゥＥメールの機能を利用する権限を有するかどうかを判断する。ユーザがスキャントゥＥメールの機能を利用する権限を有する場合はステップＳ２−１２７に、ユーザがスキャントゥＥメールの機能を利用する権限を有しない場合はステップＳ２−１２６に進む。
ステップＳ２−１２６  表示処理手段はスキャントゥＥメール禁止画面を形成し、リターンする。
ステップＳ２−１２７  利用頻度取得処理手段はスキャントゥＥメールの機能の利用頻度が最も高いかどうかを判断する。スキャントゥＥメールの機能の利用頻度が最も高い場合はステップＳ２−１２８に、スキャントゥＥメールの機能の利用頻度が最も高くない場合はリターンする。
ステップＳ２−１２８  セキュリティ管理部解除指示処理手段はセキュリティ管理部解除指示処理を行う。
ステップＳ２−１２９  省電力管理部解除指示処理手段は省電力管理部解除指示処理を行う。
ステップＳ２−１３０  省電力制御部解除指示処理手段は省電力制御部解除指示処理を行う。
ステップＳ２−１３１  制御部解除指示処理手段は制御部解除指示処理を行う。
ステップＳ２−１３２  スキャナ２０、操作パネル２２及びＣＰＵ３１は、通常の状態に復帰することによって複合機１１のパワーセーブを解除し、リターンする。
【０２７９】
次に、このようにしてパワーセーブ解除処理が行われた後の機能実行処理手段の動作について説明する。
【０２８０】
図３９は本発明の第２の実施の形態における機能実行処理の第３の例のサブルーチンを示す図である。
【０２８１】
ユーザが操作部位５１を操作してスキャントゥＥメールの機能を選択すると、前記ジョブ管理部４３の前記ジョブ処理手段は、前記スキャン制御部３７において、選択されたスキャントゥＥメールの機能を実行し、ジョブを処理する。
【０２８２】
続いて、前記ジョブ管理部４３の前記通知処理手段は、スキャン制御部３７においてジョブが処理されるのに伴って、複合機１１においてスキャントゥＥメールの機能が実行されると、その旨をログ管理部５５に通知する。
【０２８３】
そして、ログ管理部５５の前記利用頻度更新処理手段は、ジョブ管理部４３からスキャントゥＥメールの機能が実行されたことが通知されると、スキャントゥＥメールの機能について利用頻度テーブルの利用頻度を更新する。
【０２８４】
次に、図３９のフローチャートについて説明する。
ステップＳ３−２１  機能選択判断処理手段はスキャントゥＥメールの機能が選択されるのを待機する。スキャントゥＥメールの機能が選択された場合はステップＳ３−２２に進む。
ステップＳ３−２２  ジョブ処理手段はジョブ処理を行う。
ステップＳ３−２３  通知処理手段はログ管理部５５にスキャントゥＥメールの機能が実行されたことを通知する。
ステップＳ３−２４  利用頻度更新処理手段は利用頻度更新処理を行い、リターンする。
【０２８５】
このように、本実施の形態においては、ユーザが利用する権限を有する機能のうちの、利用頻度が最も高い機能を実行するに当たり使用されるデバイスだけが通常の状態に復帰させられて、それ以外のデバイスの消費電力が小さくされたままにされる。したがって、複合機１１のパワーセーブが解除された後のデバイスにおいて消費電力が無用に大きくなることがない。
【０２８６】
前記各実施の形態においては、画像形成装置としての複合機について説明しているが、本発明を、プリンタ、複写機、ファクシミリ等の画像形成装置だけでなく、画像形成装置以外の各種の情報処理装置に適用することができる。
【０２８７】
なお、本発明は前記各実施の形態に限定されるものではなく、本発明の趣旨に基づいて種々変形させることが可能であり、それらを本発明の範囲から排除するものではない。
【符号の説明】
【０２８８】
１１    複合機
３４    不揮発性メモリ
４４    省電力管理部
【図１】
2013232087.tif 000003
【図２】
2013232087.tif 000004
【図３】
2013232087.tif 000005
【図４】
2013232087.tif 000006
【図５】
2013232087.tif 000007
【図６】
2013232087.tif 000008
【図７】
2013232087.tif 000009
【図８】
2013232087.tif 000010
【図９】
2013232087.tif 000011
【図１０】
2013232087.tif 000012
【図１１】
2013232087.tif 000013
【図１２】
2013232087.tif 000014
【図１３】
2013232087.tif 000015
【図１４】
2013232087.tif 000016
【図１５】
2013232087.tif 000017
【図１６】
2013232087.tif 000018
【図１７】
2013232087.tif 000019
【図１８】
2013232087.tif 000020
【図１９】
2013232087.tif 000021
【図２０】
2013232087.tif 000022
【図２１】
2013232087.tif 000023
【図２２】
2013232087.tif 000024
【図２３】
2013232087.tif 000025
【図２４】
2013232087.tif 000026
【図２５】
2013232087.tif 000027
【図２６】
2013232087.tif 000028
【図２７】
2013232087.tif 000029
【図２８】
2013232087.tif 000030
【図２９】
2013232087.tif 000031
【図３０】
2013232087.tif 000032
【図３１】
2013232087.tif 000033
【図３２】
2013232087.tif 000034
【図３３】
2013232087.tif 000035
【図３４】
2013232087.tif 000036
【図３５】
2013232087.tif 000037
【図３６】
2013232087.tif 000038
【図３７】
2013232087.tif 000039
【図３８】
2013232087.tif 000040
【図３９】
2013232087.tif 000041